(57)【特許請求の範囲】
【請求項１】
布地処理組成物を布地物品に適用する方法であって：
ａ）乾燥装置の乾燥サイクルの間、前記乾燥装置の運転温度を監視する工程と、
ｂ）前記乾燥装置の前記乾燥サイクルの間に少なくとも２つの異なる時間間隔で布地処理組成物を噴霧によって布地物品に適用する工程と
を含んでおり、前記布地処理組成物は、香料と処理物質を含んでおり、
前記噴霧による適用は、前記乾燥装置が６０℃以上の第１の制御運転温度に達した後に起こり、及び、前記乾燥装置が６０℃未満の第２の運転温度に達した後であるが前記乾燥装置が２５℃の第３の運転温度に達する前に起こることを特徴とする方法。
【請求項２】
前記布地処理組成物は、３０℃以上の引火点を有する物質を含むことを特徴とする、請求項１に記載の方法。
【発明の詳細な説明】
【技術分野】
【０００１】
本発明は、布地物品に揮発性物質を供給するために有用な方法及び組成物に関する。
【背景技術】
【０００２】
ある種の香料物質のような揮発性物質は、きわめて望ましい特定の香りを生成するために、又は特定の布地利益を提供するために必要とされる。残念なことに、衣類乾燥機のような適用デバイスの運転中に適用される時には、そのような物質及び組成物が均等に付着せず、且つ／又は乾燥サイクルが終わる前に蒸発して乾燥機から排出されるので、そのような揮発性物質の利益が得られない。
【発明の開示】
【発明が解決しようとする課題】
【０００３】
したがって、そのような物質及びそのような物質を含む組成物を供給する、便利で効果的な方法が必要とされている。
【課題を解決するための手段】
【０００４】
本発明は、適用デバイスの運転の間に、物質を前記デバイス内に収容される布地物品に供給する方法であって、前記適用デバイスの運転の間に前記物質を前記布地物品に適用する工程を含む方法に関する。  
本発明は、また、香料物質を含む処理組成物に関する。
【発明を実施するための最良の形態】
【０００５】
（定義）
本明細書に組み込まれて本明細書の一部を成す添付図面は、本発明の幾つかの態様を示しており、その説明及び特許請求の範囲と共に本発明の原理を説明する役割を果たす。図面は以下の通りである。
【０００６】
本明細書で使用する時、「布地物品」は、布地を含む物品を意味する。そのような物品としては、これらに限定するものではないが、衣類、靴、カーテン、タオル、亜麻布、室内装飾用の覆い、及び掃除用具が挙げられる。
【０００７】
本明細書で使用する時、「乾燥サイクルの間」は、乾燥機が運転している期間を意味する。
【０００８】
本明細書で使用する時、「処理物質」は、次の利益：柔軟化、パリっとした感じ、撥水性及び／若しくは染みをはじく性質、リフレッシュ、静電気防止、縮み防止、抗菌、パーマネントプレス、しわ防止、匂い防止、耐磨耗性、フェルト化防止、毛羽立ち防止、外観の向上、並びにこれらの混合のうちの１以上を布地物品に供給することができる物質又は物質の組み合わせを意味する。
【０００９】
本明細書で使用する時、「布地処理組成物」は、１以上の処理物質、若しくは１以上の香料物質、又はこれらの組み合わせを含む組成物を意味する。処理組成物の好適な形態としては、これらに限定するものではないが、液体又は気体のような流動性の物質、及び粒子又は粉末のような固体化合物が挙げられる。
【００１０】
本明細書で使用する時、用語「処理組成物」、「布地処理組成物」及び「有益組成物」は、同義である。
【００１１】
本明細書で使用する時、「香料」は、香料物質の混合物を意味する。
【００１２】
本明細書で使用する時、冠詞「ａ」及び「ａｎ」は、特許請求の範囲で使用される時には、請求又は記載される１以上の物質を意味するものと理解される。
【００１３】
本明細書に記載の界面活性剤の目的では、用語「アルキル」又は「アルケニル」には、エーテル結合若しくはポリエーテル結合のような１以上の中間結合、又はラジカルが疎水性の性質を維持しているヒドロキシルラジカル若しくはハロゲンラジカルのような非官能性置換基を含有し得る、ラジカルの混合物が含まれることを理解すべきである。
【００１４】
特に記載しない限り、構成成分又は組成物の濃度は、すべて当該構成成分又は組成物の活性レベルに関するものであり、市販の供給源に存在し得る不純物、例えば残留溶媒又は副生成物は、除外される。
【００１５】
特に指示のない限り、パーセンテージ及び割合は、すべて組成物の総重量に基づいて計算される。
【００１６】
本明細書全体を通じて記載されるあらゆる最大数値限定は、それより小さいあらゆる数値限定を、それらが本明細書に明確に記載されているかのように含むことを理解すべきである。本明細書全体を通じて記載されるあらゆる最小数値限定は、それより大きいあらゆる数値限定を、それらが本明細書に明確に記載されているかのように含む。本明細書全体を通じて記載されるあらゆる数値範囲は、そのような広い数値範囲内に入るそれよりも狭いあらゆる数値範囲を、それらがすべて本明細書に明確に記載されているかのように含む。
【００１７】
引用されるすべての文献は、関連部分において参考として本明細書に組み込まれるが、いずれの文献の引用も、それが本発明に関する先行技術であることを承認するものと解釈されるべきではない。
【００１８】
（供給方法）
本出願人らの供給方法は、乾燥装置の乾燥サイクルの間、前記乾燥装置の運転温度を監視する工程と、前記乾燥装置の前記乾燥サイクルの間に、布地処理組成物を布地物品に適用する工程とを含んでおり、前記適用は、前記乾燥装置が第１の制御運転温度に達した後で起こる。例えば、前記第１の制御運転温度は、ユーザによって入力された所定の温度であってよく、又はシステム制御装置内の計算デバイスによって設定される。その場合、所定の温度（第１の制御運転温度として）を、６０℃以上に設定することができ、又はさらに７０℃以上に設定することもできる。
【００１９】
別法として、第１の制御運転温度は、最高運転温度であってもよく、その際、システム制御装置は、当該制御装置が最高運転温度に達したと判定するまで、実際の運転温度を繰り返し又は継続的にサンプリング又は測定し；通常、この判定は、乾燥装置の運転の間に実際の温度が低下し始めたことを観察することによってなされることになる。前記最高運転温度（℃又は°Ｆの物理温度として）は、システム制御装置によって指定する又は事前に定める必要はないが、乾燥装置がその通常の運転で生成可能な、実質的にいかなる好適な温度にもすることができる。したがって、最高運転温度は、通常、それが６０℃以上、又は場合によっては７０℃以上になるような範囲内にあってよい。
【００２０】
本出願人らの発明の他の態様では、前記発明は、乾燥装置の乾燥サイクルの間、前記乾燥装置の運転温度を監視する工程と；前記乾燥装置が第１の最高運転温度（例えば、制御運転温度として）に達し、次いでそれよりも低い第２の運転温度に戻った後で、布地処理組成物を布地物品に適用する工程とを含む。前記第１の最高運転温度は約６０℃以上であってもよく、前記第２の運転温度は約６０℃未満であってもよい。あるいは、前記第１の最高運転温度は約７０℃以上であってもよく、前記第２の運転温度は約７０℃未満であってもよい。
【００２１】
本出願人らの発明の他の態様では、前記発明は、乾燥装置の乾燥サイクルの間、前記乾燥装置の運転温度を監視する工程と；前記乾燥装置が第１の最高運転温度（例えば、制御運転温度として）に達し、次いで第２の運転温度に戻った後で、ただし第３の運転温度に達する前に、布地処理組成物を布地物品に適用する工程とを含む。前記第１の最高運転温度は約７０℃以上であってもよく、前記第２の運転温度は約７０℃未満であってもよく、前記第３の運転温度は約２０℃より高くてもよい。あるいは、前記第１の最高運転温度が６０℃以上であってもよく、前記第２の運転温度が約６０℃未満であってもよく、前記第３の運転温度が約２５℃より高くてもよい。あるいは、前記第１の最高運転温度が６０℃以上であってもよく、前記第２の運転温度が約５０℃未満であってもよく、前記第３の運転温度が約３０℃より高くてもよい。
【００２２】
本出願人らの発明のさらに他の態様では、前記発明は、乾燥装置の乾燥サイクルの間、前記乾燥装置の運転温度を監視する工程と；前記乾燥装置が第１の最高運転温度（例えば、制御運転温度として）に達し、次いで第２の運転温度に戻った後で、ただし第３の運転温度に達した後で、布地処理組成物を布地物品に適用する工程とを含む。この運転の筋書きでは、第２の運転温度に達したらすぐに布地処理組成物の適用を開始させることができるが、システム制御装置は、実際の運転温度が、基本的に最高閾値温度として第３の運転温度未満に下がるまで、その適用を阻止することができる。一般に、乾燥装置の実際の温度は、第２の運転温度に達するとこの第３の（閾値）運転温度未満になるはずであるが、℃又は°Ｆの物理温度に関わらず、第１及び第２の運転温度が併せて温度差として働く場合、必ずしもそのようにならない場合もある。換言すれば、乾燥装置が予想されるよりもいくらか高い温度で動作する場合、第２の運転温度に達することはできるが、それにも関わらず、その第２の運転温度が、布地処理組成物の分配又は適用に関して望まれるよりも高いことがある。したがって、実際の温度が第３の（閾値）運転温度未満に下がるまで布地処理組成物の適用を阻止する前述の論理が、所望の結果を達成することになる。本出願人らの発明の他の態様では、前記発明は、乾燥装置の運転サイクルの間、前記乾燥装置の運転時間を監視する工程と；前記乾燥装置の前記運転サイクルの間に布地処理組成物を布地物品に適用する工程とを含んでおり、前記適用は、前記運転サイクルの最終部分の間に起こる。前記運転サイクルの前記最終部分は、運転サイクル全体の２５％、１８％、１２％、又は８％であってよい。運転サイクル全体の２５％は、約１５分以下であってよく、運転サイクル全体の１８％は、約１２分以下であってよく、運転サイクル全体の１２％は、約８分以下であってよく、運転サイクル全体の８％は、約６分以下であってよい。
【００２３】
本出願人らの発明の他の態様では、前記発明は、乾燥装置の運転サイクルの間、前記乾燥装置の運転時間を監視する工程と；前記運転サイクルの最後の約１８％〜前記運転サイクルの最後の約０．７５％の間に布地処理組成物を布地物品に適用する工程とを含む。あるいは、前記布地処理組成物を、前記運転サイクルの最後の約１２％〜前記運転サイクルの最後の約１．７％の間に適用してもよい。あるいは、前記布地処理組成物を、前記運転サイクルの最後の約８％〜前記運転サイクルの最後の約２．５％の間に適用してもよい。運転サイクル全体の１８％は、約１２分以下であってよく、運転サイクル全体の１２％は、約８分以下であってよく、運転サイクル全体の８％は、約６分以下であってよい。
【００２４】
本出願人らの発明の一態様では、処理組成物は、前述の温度又は時間プロファイルの１つに従って、前記布地物品上に噴霧される。
【００２５】
本出願人らの発明の一態様では、前述の温度又は時間プロファイルの１つに従って、また、これだけに限定するものではないが噴霧を含む方法によって布地物品に適用される処理組成物は、１気圧で２５０℃以下の沸点を有する１以上の香料物質を含む。好適な香料物質、及びそのような物質を得るための供給源については、本明細書の表題「布地処理組成物」において説明する。
【００２６】
本出願人らの発明の一態様では、前述の温度又は時間プロファイルの１つに従って、また、これだけに限定するものではないが噴霧を含む方法によって布地物品に適用される処理組成物は、沸点が１気圧で２５０℃以下の香料物質を少なくとも約３０重量％含む香料を含む。
【００２７】
本出願人らの発明の一態様では、前述の温度又は時間プロファイルの１つに従って、また、これだけに限定するものではないが噴霧を含む方法によって布地物品に適用される処理組成物は、香料のような物質を少なくとも０．００５重量％、０．００５重量％〜１０重量％、又は０．０１重量％〜２重量％、０．１重量％〜０．９５重量％含むことのできる処理組成物であり、前記香料は、１気圧で２５０℃以下の沸点を有する香料物質を少なくとも３０重量％、３０重量％〜９０重量％、又は３０重量％〜７０重量％、又は３０重量％〜５０重量％含んでおり；前記処理組成物は、所望により追加の布地処理物質と；任意のキャリアと；電荷を獲得可能で、所望により、帯電した液体が処理される布地物品と接触するのに十分な時間にわたって電荷を保持可能な、任意の部分と；残部に１以上の補助剤成分とを含むことができる。
【００２８】
本出願人らの発明の一態様では、前述の温度又は時間プロファイルの１つに従って、また、これだけに限定するものではないが噴霧を含む方法によって布地を含む物品に適用される物質は、米国材料試験協会（ＡＳＴＭ）の方法Ｄ９３−０２ａに従って測定した時に、約３０℃以上、約６０℃以上、約９０℃以上、約３０℃〜約４００℃、約６０℃〜約３００℃、又は約９０℃〜約２３２℃の引火点を有する物質を含む。
【００２９】
前述の温度プロファイル又は時間プロファイルに従って布地処理組成物を供給する好適な供給システムとしては、これだけに限定するものではないが、布地物品がその中で処理される受取り容積（衣類乾燥器具のドラム（若しくは他のチャンバー）にすることができる）内に布地処理組成物を噴霧する、又は別の方法で放出する、布地物品処理システムが含まれる。処理システムは、通常：リザーバのような布地処理組成物供給源を内蔵する、若しくは布地処理組成物の外部供給源と連通するハウジング又はエンクロージャ；ノズルのような出力デバイス；処理回路及び入出力回路を備えた電子制御デバイスのような制御装置；温度センサのような１以上のセンサ；始動スイッチ及び／又はキーパッドのような１以上の入力デバイス；色彩灯又はＬＥＤのような１以上の指示デバイス；並びに、布地処理組成物が供給される前に（又は供給される間に）静電的に帯電される場合、帯電システムを含む。
【００３０】
ここで、添付図面にその一例が示されている、前述の温度又は時間プロファイルの１つに従って布地処理組成物を供給するためのデバイスの好適な諸実施形態に詳細に言及するが、図全体を通じて、類似の番号は、同一の要素を示す。
【００３１】
図１〜４は、本発明で使用するための代表的な布地物品処理システムの一実施形態を示し、図５〜７は、本発明で使用するための好適な制御装置並びに他の電気及び電子デバイスを描く。前述のプロファイルを実行する方法については、以下で、図１１〜１２のフローチャートの形態でさらに詳細に説明する。
【００３２】
ここで図１の実施形態を参照すると、全体が参照番号１０によって表された「独立型」制御装置及びディスペンサ・ユニット（すなわち、自蔵型デバイスとして）が、２つの主要エンクロージャ（又はハウジング）２０及び５０を有するものとして示されている。この実施形態では、エンクロージャ２０は、布地物品乾燥器具（例えば、衣類乾燥機）の内部に配置される「内側ハウジング」の働きをし、エンクロージャ５０は、布地物品乾燥器具の外部に配置される「外側ハウジング」の働きをする。エンクロージャ５０は、布地物品乾燥器具の扉の外部表面上に取り付けられてよいが、代わりにどの外部表面上に取り付けられてもよく、そのような外部表面の非限定例としては、布地物品乾燥器具から離れた壁面又は他の家庭内の構造を含め、側壁、上壁、上開き蓋の外表面などが挙げられる。さらに、エンクロージャ２０は、布地物品乾燥器具のどの内部表面上に取り付けられてもよく、そのような内部表面の例としては、これらに限定するものではないが、扉の内部表面、布地物品乾燥器具のドラム、後壁、上開き蓋の内表面などが挙げられる。
【００３３】
エンクロージャ５０は、外部表面に永久的に取り付けられてよく、又は好ましくは外部表面に取外し可能に取り付けられてもよい。同様に、エンクロージャ２０は、内部表面に永久的に取り付けられてもよく、又は内部表面に取外し可能に取り付けられてもよい。そのような取り付けの一構成が図８に示されており、図８では乾燥器具の扉が全体を参照番号１５によって表されている。
【００３４】
例えば、扉の内部表面上に取り付けられる時には、エンクロージャ２０を、「永久的に」取り付けられた外観をもつように構築して、実際には本当に布地物品乾燥器具の一部として構築することなく、乾燥機ユニット（又は他のタイプの布地物品乾燥器具）の扉に「組み込まれた」ものに見えるようにしてもよい。他方では、エンクロージャ２０を、器具の垂直扉に沿って「掛ける」図１〜４に描かれた諸実施形態１０のものとごく同様に、扉の付近又は扉の内表面と平行してより緩く取り付けてもよい。本明細書で使用する時、用語「扉」が、人の乾燥機装置の内部容積への接近を可能にする可動クロージャ構造を表しており、そのような接近を可能にする実質的にいかなる物理形態にすることもできることが理解されよう。扉「クロージャ構造」は、乾燥機装置の上面にある蓋、又は何らかの形のハッチなどにすることができる。
【００３５】
処理装置１０を、ばね、パッチ、磁石、ねじ、若しくは他の取付手段、及び／又はアークコロナ放電などによる布地物品乾燥器具の接地部品との接触を通じて、あるいは残留電荷の放散を通じて接地してよいことに留意すべきである。電荷を放散させる非限定的な一方法は、イオン化機構、例えば、供給源から遠くに延びる１組の金属線を用いることによる。多くの場合、衣類乾燥機のような布地物品乾燥器具は、エナメル加工された表面を有する。１つの接地方法は、布地物品乾燥器具のエナメル加工表面に接地することであり、接地する非伝導性のエナメル塗料を貫通するピンを用いる。布地物品乾燥器具の非伝導性表面に接地するもう１つの方法は、容量放電をもたらす働きをする、布地物品乾燥器具と布地物品処理デバイスとの間に配置された薄い金属板の使用を含む。そのような板の典型的な厚さは、約５ミクロン〜約５０００ミクロンである。
【００３６】
図１では、内側ハウジング２０上に、放出ノズル２４及び「扉センサ」２２を見ることができ、当該内側ハウジングには、また、内側ハウジング２０の内部容積内にある有益組成物保持リザーバ２６も含まれる。リザーバ２６は、有益組成物を保持するために使用してよい。放出ノズル２４は、加圧噴霧を使用して流体噴霧ノズルの働きをすることができるか、又は任意の高圧電源（図１には図示せず）と相まって静電ノズルとして機能できる。流体噴霧ノズルの好適な一例は、イリノイ州カリー（Cary）のシークイスト・ディスペンシング（Seaquist Dispensing）によってモデル番号ＤＵ−３８１３として作製される、圧力旋回噴霧ノズル（pressure swirl atomizing nozzle）である。有益組成物は、液体若しくはガス状化合物のような流動性の物質を含むことができ、又は粉末のような粒子の形態若しくは液体との溶液中の固体粒子の形態をした固体化合物を含むことができる。リザーバ２６は、基本的にいかなる大きさ及び形状のものであることもでき、例えばパウチ若しくはカートリッジの形態をとることができ、又は有益組成物が飲料水を含む状況では、当該リザーバは単なる家庭の水道であることが恐らく可能である。
【００３７】
内側ハウジング２０及び外側ハウジング５０は、通常、電気連通している。図１の実施形態では、フラットケーブル４０（時に、「リボンケーブル」とも呼ばれる）が、２つのハウジング２０と５０との間を通っており、布地物品乾燥器具の扉１５（例えば図８参照）の内表面に沿って進み、扉１５の最上部を越えて、扉１５の外部表面を下降する。
【００３８】
図２は、同一の布地物品処理装置１０を反対の角度から示しており、外側ハウジング５０には、５６のところにＯＮ−ＯＦＦスイッチが設けられている。フラットケーブル４０は、やはり図２でも見ることができ、図２で見ることのできる内側ハウジング２０の表面に沿って、扉取付ストラップ２１を見ることができる。取付ストラップの端部は、図１でも見ることができる。確実に、内側ハウジング２０を乾燥機の扉１５（又は他の内部表面）に取り付けるための他の配置が、本発明の原理から逸脱することなく利用可能である。
【００３９】
ここで図３を参照すると、リザーバ２６が内側ハウジング２０の内部容積として見えるように、布地物品処理装置１０が示されている。外側ハウジング５０では、１組のバッテリ５２に加えて、５４のところに電子コンポーネントを備えたプリント基板を見ることができる。一実施形態の電子コンポーネントについては、以下でさらに詳細に説明する。標準的な家庭用線間電圧、又は太陽エネルギーまでも含めて、いかなる種類の電力源も本発明で使用できることが理解されよう。装置１０を容易に携帯可能なものにすることが望ましい場合にはバッテリを使用してよいが、任意の適切なパワーアダプタを設けて、ＡＣ電源をＰＣ基板５４上の電子コンポーネントで使用される適切な（１つ若しくは複数の）ＤＣ電圧に変換、又はＤＣ電源（バッテリ若しくは太陽電池パネルを含める）をＰＣ基板５４上の電子コンポーネントで使用される適切な（１つ若しくは複数の）ＤＣ電圧に変換することができる。
【００４０】
ここで図４を参照すると、他のいくつかのハードウェアデバイスが、内側ハウジング２０に関して示されている。図４の実施形態では、放出ノズル２４は、静電ノズルの働きをしており、したがって、この図には示されていない導電体を用いて高圧電源２８に結合される。安全の目的で急速切断スイッチ３４が含まれているので、必要ならば、高圧電源２８を瞬時に切ることができる。図４では、ポンプ３０及び対応する電動モータ３２を見ることができる。放出ノズル２４が加圧噴霧だけを作り出しているのか、又は高圧電源２８を使用する静電噴霧を作り出しているのかに関わらず、何らかのタイプのポンプ装置が使用される。
【００４１】
図５は、本発明の一実施形態によって構築された布地物品処理装置１０に含まれる、いくつかの電気及び機械コンポーネントのブロック図を提供する。この実施例の実施形態では、内側ハウジング２０内に、放出ノズル２４を通じて分配される流体を帯電させるために使用される高圧電源２８が設けられているので、これが静電ノズルシステムになっている。内側ハウジング２０は、乾燥器具内で必要とされるデバイスを収容するための一般的な本体又はエンクロージャを使用しており、そのようなコンポーネントが、一般に、乾燥器具の処理サイクルの間、比較的高い温度に曝されることが理解されよう。それゆえに、より繊細な電子コンポーネントは、一般に（常にそうとは限らないが）、外側ハウジング５０内のような異なる場所に取り付けられる。
【００４２】
フラットケーブル４０は、特定の指令信号及び電力を内側ハウジング２０へと運び、またさらに、内側ハウジング２０内に取り付けられたセンサから電気信号を受け取り、それらのセンサ信号を外側ハウジング５０へと戻して伝える。電源制御信号は、配線７０に従って進み、急速切断スイッチ３４を通過し、高圧電源２８に到達する。この信号は、布地物品処理装置１０の設計者によって選択された制御方法のタイプに応じて、一定ＤＣ電圧、一定ＡＣ電圧、可変ＤＣ電圧、可変ＡＣ電圧、又は何らかのタイプのパルス電圧を含むことができる。
【００４３】
一実施形態では、７０における信号は、可変ＤＣ電圧であり、この電圧が増大するにつれて、ノズル２４に、又はリザーバ２６内に高電圧を伝える、電極３８に取り付けられた導体３９（例えば、配線）に沿って、高圧電源２８の出力電圧の大きさも増大する。次いで、電極３８に印加される電圧が、有益組成物へと移動する。代表的な実施形態の可変出力電圧電源２８の代わりに、任意で、一定出力電圧ＤＣ高圧電源を使用することができる。
【００４４】
有益組成物がリザーバ２６内で帯電されると、チューブ又は通路４２を通ってポンプ３０の入口へと進み、その後、有益組成物は加圧され、ポンプの出口を通り、別のチューブ（又は通路）４４に沿って放出ノズル２４へと進む。本発明で使用する場合、使用される配管のタイプ、ポンプ３０のタイプ、及びポンプを駆動する電動モータ３２のタイプの実際の詳細を、ほぼすべてのタイプの圧力及び流量の要件について、容易に構成することができる。また、ポンプ３０の出口に所望の圧力及び流量を提供するための、電動モータ３２の電圧及び電流要件も、本発明での使用のために容易に構成することができる。本発明の教示の範囲内に入る有用なデバイスを作り出すために、実質的にいかなるタイプのポンプ及び電動モータの組み合わせも、多種多様な形態で使用することができ、又は、後述するように、独立型ポンプを（すなわち、関連した電動モータなしに）使用することができる。
【００４５】
ポンプの入口開口部を通って延び、続いてポンプの放出開口部を通る連続チューブにポンプが作用を及ぼす、蠕動ポンプのような一部のタイプのポンプは、別個の入力及び出力ライン又はチューブがそれに連結される必要がないことに留意すべきである。配管が、帯電した有益組成物からポンプを電気的に絶縁させることができるので、この配置は、放出ノズル２４に向けて送り出される静電的に帯電した流体又は粒子と共に使用するのに特に有益である。また、望むなら、ばね作動式ポンプ機構のような代替的なポンプデバイスを使用できることに留意すべきである。好適な蠕動ポンプの非限定例は、ケンタッキー州ルイビル（Louisville）のトーマス・インダストリーズ（Thomas Industries）から得ることができる、モデル１０／３０蠕動ポンプである。
【００４６】
電動モータ３２を制御するために使用される制御信号のタイプは、装置１０の設計要件に従って変更することができ、そのような信号は、フラットケーブル４０を介し、導電体７２に沿って伝わって、モータ３２を制御する。モータ３２がＤＣ可変速モータである場合、可変の「安定した」ＤＣ電圧を印加することができ、電圧の大きさが大きくなるほどモータの回転速度が大きくなる。一実施形態では、導体７２に沿って伝わる電気信号を、マイクロプロセッサ又はマイクロコントローラによって制御されるパルス幅変調（ＰＷＭ）信号にすることができる。言うまでもなく、このようなパルス幅変調信号も、アナログ電子コンポーネントを含めたディスクリート論理によって制御することができる。
【００４７】
布地物品処理装置１０は、特定のセンサを用いて向上させることができ、そのようなセンサの例には、これらに限定するものではないが、扉（若しくは蓋）センサ２２、動作センサ３６、湿度センサ４６、及び／又は温度センサ４８が含まれる。アナログ出力温度センサを使用して、外側ハウジング５０内の制御装置へと戻る導電体８６に沿ってアナログ信号を提供することができる。（一部の温度センサは、アナログ電圧を出力するのではなく、デジタル出力信号を伝えるためのシリアルバスを有することに留意すべきである。）温度センサ４８は、処理装置１０の制御機構の多くには必要でないかもしれないが、特に、リザーバ２６内の有益組成物の噴霧イベントが乾燥器具の「冷却」サイクルの間に起こる場合には、乾燥器具の内部温度を使用して、特定の噴霧イベントが発生するのに適した環境条件を判定することができる。この構成については、以下でさらに詳細に説明する。加えて、乾燥器具が所定の最低温度まで温まっておらず、その加熱素子（又はバーナー）が正しく機能していない可能性があり、その状況で有益組成物を噴霧した方がよいかどうかわからない場合、当該乾燥器具が適切に動作していることの指示器として温度センサ４８を使用することもできる。
【００４８】
外部ハウジング５０の主要コンポーネントは、通常、電子部品５４及び電源５２を含む。例えば、電源５２が、直列に接続された４つの単１電池を含む場合、全体が参照番号５８によって表された１組のＤＣ電源に＋６ボルトのＤＣ電圧が供給される。図６Ａ〜６Ｃ及び図７で提供される概略図は、これらの電源５８をさらに詳細に、ただし単に議論だけを目的として示しており、外側ハウジング５０内の制御回路に、１つよりも多くのＤＣ電源電圧が必要とされることが推定される。ＤＣ電源電圧の１つは、フラットケーブル４０内を通る導電体７０を介して、高圧電源２８のためのエネルギーを供給する。マイクロコントローラ６０には、別の出力電圧が供給されており、これは、図６Ａ〜６Ｃに描かれた代表的な実施形態では、＋３．３ボルトのＤＣ電源を必要とする。図６Ａ〜６Ｃの代表的な実施形態では、デジタル・アナログ変換器（ＤＡＣ）６２が使用されており、マサチューセッツ州ノーウッド（Norwood）のアナログ・デバイシズ（Analog Devices）によって提供されるデバイス（部品番号ＡＤ５３０１）は、＋５ボルトのＤＣ電源を必要とする。これらの電源すべてが、「１組の」ＤＣ電源５８によって提供される。
【００４９】
外部ハウジング５０の一部分には、マイクロコントローラ６０への入力部が含まれる。マイクロコントローラ６０へのユーザインターフェースとして使用できる重要な要素の１つは、数字０〜９並びに「入力（ENTER）」キーを有する１組のバブル若しくはメンブレンスイッチのような、キーパッド６６である。「取消（CANCEL）」キー、あるいは小数点キーを含めた他のキーを、キーパッド６６の一部として含めることができる。
【００５０】
ここで図６Ａ〜６Ｃを参照すると、処理装置の制御に使用できるコンポーネントは、マイクロコントローラ６０である。好適なマイクロコントローラ６０は、アリゾナ州チャンドラー（Chandler）のマイクロチップ（Microchip）によって部品番号ＰＩＣ１６ＬＦ８７６−０４／Ｐとして製造されているが、言うまでもなく、異なる製造業者製の他のマイクロコントローラを容易に使用することができる。マイクロコントローラ６０には、オンボードランダムアクセスメモリ（ＲＡＭ）、電気的にプログラム可能な不揮発性記憶素子を含むオンボードＦＬＡＳＨメモリ、並びに、アナログ及びデジタル信号のためのオンボード入出力ラインが含まれる。また、マイクロコントローラ６０をクリスタルクロックオシレータと共に使用してもよいが、望むなら、代わりにＲＣ回路をクロック回路として使用することもできる。クロック回路は、マイクロコントローラ６０を操作するのに必要なタイミングクロックパルスを提供し、これらのクロックパルスは、論理コンポーネント（又は、マイクロプロセッサレジスタ若しくはソフトウェア制御メモリ）によって分割されて、例えば秒又は１０分の１秒単位で、時間を適当な確度で計ることが可能な、実時間クロックを提供することができる。また、ＰＩＣ１６ＬＦ８７６マイクロコントローラは、ＲＳ−２３２通信リンクを使用して任意のプログラマインターフェースに接続できる、シリアルポートを有する。
【００５１】
本発明の原理から逸脱することなく、マイクロコントローラ６０を、オンボードＲＡＭ、ＲＯＭ、若しくはデジタル及びアナログＩ／Ｏを備えた、又は備えない、実質的にいかなるタイプの市販のマイクロプロセッサ又はマイクロコントローラ回路にすることもできることが理解されよう。さらに、処理装置１０の制御に必ずしも順次プロセッサが必要なわけではないが、代わりに、並列プロセッサアーキテクチャを使用することができ、あるいは論理状態機械アーキテクチャを使用することができる。さらに、マイクロコントローラ６０を、様々な機能に使用できる他の多くの論理素子を含み得る特定用途向け集積回路（ＡＳＩＣ）に組み込むことができ、そのような機能は、消費者に販売される処理装置１０のモデル番号に応じて任意である。モデル番号の特徴を変更するには、製造業者は、単に、各ユニットに同一のハードウェアを使用しながら、その特定のモデルの特別なパラメータに従ってＡＳＩＣ（又はマイクロコントローラのオンボードＲＯＭ）にプログラムすればよい。
【００５２】
また、経過時間に基づいて、又は処理装置１０に設けられた様々なセンサの入力レベルに基づいて、タイミングイベントを制御し、決定を行うために、任意のタイプのマイクロプロセッサ若しくはマイクロコントローラユニットの代わりにディスクリートデジタル論理を使用することができ、又はアナログ制御回路を電圧比較器及びアナログタイマーと共に使用することさえできることが理解されよう。
【００５３】
図６Ａ〜６Ｃには、また、ＳＷ１で表された任意のリセットスイッチも含まれる。このようなリセットスイッチは、消費者用装置には望ましくない場合がある。ＯＮ−ＯＦＦスイッチ５６は、マイクロコントローラ６０へのＩ／Ｏ入力の１つにインターフェース接続される。扉センサ２２又は動作センサ３６からの出力信号を含め、他の多数の入力をマイクロコントローラに提供してもよい。図６Ａ〜６Ｃに描かれていない他の入力には、図５に示したような、温度センサ及び湿度センサのためのアナログ入力を含めることができる。
【００５４】
マイクロコントローラ６０は、また、トランジスタＱ３を駆動する導体７２に沿って、パルス幅変調（ＰＷＭ）信号を含めた特定の出力を制御し、当該トランジスタＱ３は、その信号を、モータ３２を駆動するより高い電圧及びより大きな電流に変換する。マイクロコントローラ６０からの他のデジタル出力は、信号を３．３ボルトの論理レベルから＋５ボルトの論理レベルへとシフトさせてＤＡＣ６２を制御する、トランジスタＱ４及びＱ５の電圧シフト回路を流れる。これらの信号の状態に応じて、ＤＡＣ６２の出力は、前述のように、高圧ＤＣ電源の出力電圧の大きさを制御する、伝導経路７０に沿ったアナログ電圧になる。やはり前述したように、このＤＡＣ６２は、特に、高圧ＤＣ電源２８（図７参照）によって供給されるものとして一定のＤＣ出力電圧が好ましいと判定された場合、全生産ユニットには必要でないことがある。システム設計者がこれを判定することができる。
【００５５】
図６Ａ〜６Ｃでは、マイクロコントローラ６０は、また、２色の異なる色の２つのＬＥＤを備えた視覚的指示器に２つの制御信号を出力する。この実施例の実施形態では、使用されるＬＥＤは、緑色及び赤色である。伝導経路７４に沿った出力信号は、必要に応じて緑色ＬＥＤを点灯させる、ソリッドステートトランジスタＱ１を駆動する。伝導経路７６に沿ったもう１つの出力信号は、赤色ＬＥＤを駆動するための電流を供給する、ソリッドステートトランジスタＱ２を駆動する。赤色及び緑色ＬＥＤは、共に、全体が参照番号６４で表された単一の２色デバイスの一部である。必要に応じて、ユーザに緑色光が表示され、又は赤色光が表示される。また、両方のＬＥＤに同時にエネルギーを供給することもでき、これは、人間のユーザが認識可能な黄色を作り出す。
【００５６】
２色ＬＥＤ６４をどのように使用できるかの非限定例として、安定した緑色が、布地物品処理装置１０について「オン」の信号を表すことができる。動作センサ３６が、当該動作センサ３６自体を作動させる十分な振動をもたらす乾燥機内の運動を認識している場合、例えば、緑色光を点滅させることができる。これを、処理装置１０の正常な使用状態にすることができる。「噴霧イベント」の間は、赤色及び緑色ＬＥＤ両方にエネルギーが供給され、これによって黄色を示すことができる。これは、ユーザに、噴霧液滴がノズル２４によって実際に分散されていることを知らせることができる。扉が開いている場合、２色ＬＥＤ６４は、赤色を示すことができる。バッテリ電圧が所定の閾値を下回ると、２色ＬＥＤ６４は、ユーザが認識可能な点滅する赤色光を発することができる。これらは、単に、様々な運転モードに可能な表示の例であるにすぎない。様々な色での安定した光又は点滅光の色は、完全にシステム設計者に委ねられており、本発明の教示の範囲内で大きな自由度を有する。また、ＬＣＤ表示、又は多数の個々のランプ若しくはＬＥＤを含めて、ユーザに操作情報を提示する他の多くの方法があり、そのような代替的な方法は、本発明の範囲内に入る。
【００５７】
ここで図７を参照すると、電源回路５８がさらに詳細に描かれている。バッテリを使用して、＋３．３ＤＣボルトの電源レールを出力する電圧レギュレータＵ６を駆動することができる。この実施形態におけるレギュレータは、カリフォルニア州サンタクララ（Santa Clara）のナショナル・セミコンダクタ（National Semiconductor）から得ることができる集積回路チップ、部品番号ＬＰ２９８５である。＋１２ボルトの電源電圧から＋５ボルトのレールを提供するために、もう１つの電圧レギュレータチップＵ５が使用されており、これは、別のＬＰ２９８５レギュレータデバイス（やはりナショナル・セミコンダクタ（National Semiconductor）から入手可能）である。図７は、また、＋１２ボルトのＤＣ入力電源電圧及びスイッチングレギュレータチップＵ７を使用する、ブーストスイッチングレギュレータも描いており、当該チップＵ７は、やはりナショナル・セミコンダクタ（National Semiconductor）から入手可能な集積回路チップ、部品番号ＬＭ２５８６デバイスである。このような電圧レギュレータチップは、同様に他の半導体製造業者からも入手可能である。ブーストレギュレータは、全体が参照番号２８によって表されており、これは、これまでの図では高圧電源と呼ばれる。出力電圧は、参照番号３９によって示されたノードのところに配置され、これは、リザーバ２６内又はノズル２４のところで有益組成物を帯電させる電極３８へと高電圧を伝える導電体を表す。図７は、また、バッテリ電圧から高圧電源レール（すなわち、導体３９）に電流を直接提供するソリッドステートリレーＵ９も示す。
【００５８】
図８は、本発明の布地物品処理装置１０の独立型実施形態の１つの、いくつかのコンポーネントの全体的な配置を図式的に示す。前述のように、電子部品５４及びバッテリ５２は、外側ハウジング５０内に配置されており、当該外側ハウジング５０は、外側ハウジング５０と内側ハウジング２０との間で電源及び入力／出力信号を伝えるフラットケーブル４０に電気的に接続されている。
【００５９】
内側ハウジング２０内には、リザーバ２６、ポンプ３０、電動モータ３２、高圧電源２８、放出ノズル２４、及び特定の種類の処理装置１０に含まれることもあれば含まれないこともある様々なセンサが収容される。ノズル２４へと高電圧を伝える導電体３９が描かれており、これは、高電圧をリザーバ２６へ伝える代わりに代替的に使用できる一構成である。ポンプの入口への配管４２に加えて、有益組成物をノズル２４へと提供するポンプの出口からの配管４４が示されている。高圧電源２８が、本発明の教示の範囲内で完全に任意であることに留意すべきであり、ノズル２４から放たれる噴霧液滴／粒子が静電的に帯電されない場合、内側ハウジング２０内に高圧電源は必要ない。
【００６０】
図９は、全体が参照番号１１０によって表された布地物品乾燥器具を描く、本発明と共に使用される代替的な一実施形態を示す。本発明のこの様式では、これまでの独立型実施形態の図に描かれた制御装置が、ここでは乾燥器具１１０の電子制御システムに組み込まれている。図９には扉１５が示されており、これは、乾燥器具１１０の内部のドラム容積に人間のユーザが接近する標準的な地点である。ノズル２４は、有益組成物をドラム領域内に導くために使用されており、ドラムは、全体的に参照番号１１４によって表されている。供給管４４は、制御弁１２０を通じて有益組成物をノズル２４へと運び、当該制御弁には、望むならＯＮ／ＯＦＦ押しボタン５６を設けることができる。
【００６１】
図１０は、全体が参照番号１５０によって表された、本発明の代替的な独立型実施形態を示す。図１０に示されたコンポーネントには、リザーバ（又はチャンバー）２６、任意の帯電コンポーネント３９（リザーバ若しくはノズルに高電圧を運ぶ、電極又は他のタイプの導電体）、放出ノズル２４、ポンプユニット３０、及び１組のバッテリ５２が含まれる。電子プリント基板５４が設けられており、これには、通常、マイクロコントローラ又は他のタイプの制御回路が含まれる。参照番号１２９のところに描かれるように、このようなデバイスには、通常１以上のセンサが含まれており、これには、圧力センサ、扉センサ２２、動作センサ３６、湿度センサ４８、及び／又は温度センサ４８を含めることができる。この実施形態１５０では、コンポーネントすべてが１つのハウジング内に入れられており、ユニット全体が、消費者の家庭で見られる従来型の衣類乾燥機のような布地物品乾燥器具内に配置される。
【００６２】
本発明によって使用される電気エネルギー源を、多種多様な形態で提供してよいことが理解されよう。例えば、前述の１組のバッテリ５２のように、バッテリ（又は１組のバッテリ）を使用することができる。ただし、代わりに、６０Ｈｚ・１２０ＶＡＣ単相電力のような（ヨーロッパでは恐らく５０Ｈｚ・２２０ＶＡＣになる）、標準的な線間電圧を使用することもできる。いくつかの設備では、光起電力セル又は光伝導セルを含む太陽電池パネルのような、非標準型の電気エネルギー源を提供することができる。
【００６３】
図１０の「単一ハウジング」の独立型ユニット１５０には、本発明の特定の構成でのみ使用される高圧電源及びある種のセンサのような任意機構を含めて、本明細書で図５〜７に関して記載した電気及び電子コンポーネントすべてを組み込むことができる。異なるタイプの電力源が設けられない限り、図１０に示したような１組のバッテリ５２が必要になる。プリント基板５４上の電子制御装置と電気信号をやり取りするための拡張フラットケーブル（図１のフラットケーブル４０など）は、必要でないこともあるが、その目的で、単一デバイス１５０内で何らかのタイプの導電体が通常は使用される。
【００６４】
図１１及び１２は、有益組成物を分配又は適用する際に使用される時に、本発明と共に使用されるための制御装置によって実施される、論理演算の一部を示すフローチャートである。用語「有益組成物」は、本明細書では「布地処理組成物」とも呼ばれる。図１１のフローチャートでは、いつ布地処理組成物を適用し始めるべきかを判定するのにチャンバー内の温度が使用され、図１２では、いつ布地処理組成物の適用を開始すべきかを判定するのに乾燥サイクルの経過時間が使用される。
【００６５】
ここで図１１を参照すると、フローチャート２００は、乾燥装置、例えば衣類乾燥機の乾燥サイクルの開始を表す、工程２１０から始まる。乾燥機のチャンバー内部の温度は、工程２１２で繰り返し測定されるが、これは、命令を実行し、この状況ではさらに、温度センサ（例えば、図５のセンサ４８）からの入力信号をサンプリングし、当該信号を工学単位（°Ｆ又は℃）に変換する諸工程を順次実行し、適切な追加処理の後に戻って、当該温度を再び（繰り返しサイクルで）サンプリングする、何らかの種類の論理処理デバイス（マイクロコントローラやマイクロプロセッサなど）によって通常達成される。フローチャート２００では、この測定された又はサンプリングされた乾燥機の温度を「ＴＰ１」と呼ぶ。
【００６６】
次の工程は、乾燥機の温度が工程２１２での前の読み値から低下しているかどうかを判定する決定工程２１４である。答えが「いいえ」である場合、論理の流れは、工程２１２へと戻されて、乾燥機の温度ＴＰ１が再び測定される。加熱素子（又はバーナー）が作動される乾燥サイクルの始めには、温度が特定の期間にわたって継続的に上昇することがきわめて一般的であり、その期間、論理の流れは、継続的に「いいえ」の出力から出て工程２１２の始めに戻る。加熱素子がオフにされた後にだけ、温度が有意な量低下し始める傾向にある。これが起こったら、決定工程２１４からの結果がいずれは「はい」になり、次いで論理の流れが工程２１６に導かれる。
【００６７】
工程２１６では、サンプリングされた最新の温度値が乾燥サイクルのこの部分についての「最高」値にはならない。むしろ、サンプリングされた２番目に最新の温度値がその「最高」温度値になり、この値を「ＴＰ２」と呼ぶ。工程２１６では、最高温度ＴＰ２が、制御装置の記憶素子（若しくはレジスタ）、又は独立したメモリデバイスに格納される。これには、マイクロコントローラ６０（図５参照）のオンボードメモリを含めることができる。この最高温度ＴＰ２は、前述した「第１の制御運転温度」の一例である。
【００６８】
次に、論理の流れが工程２２０に進んで、乾燥機の温度が再び測定され、この状況での測定によって「ＴＰ３」と名付けられた変数が得られる。ＴＰ３は、乾燥機の温度ＴＰ１と同じ物理パラメータであるが、この温度は、工程２１６で「最高」温度ＴＰ２が格納された後にだけサンプリングされ、この変数名ＴＰ３で格納される。（温度変数を命名するこの規則が単に本記述のために使用されるにすぎず、実際のソフトウェアコードは、処理全体を通じて同一の変数名を使用してよいことに留意する。）
ほとんどの従来型の乾燥機では、家庭用にせよ商業用にせよ、加熱素子は、バイナリデバイスであるので、フル出力では常にオンになり、ゼロ出力では完全にオフになる。より高価な乾燥装置は、例えば、電熱素子の制御に比例制御装置を使用している場合があるが、それでも比例制御の通常の結果は、温度設定点の周りでアンダーシュート及びオーバーシュートを示すことになる。本発明の原理は、そのような比例制御装置で使用することができる。
【００６９】
この実施例について、加熱素子がバイナリデバイスであると仮定すると、当該加熱素子にエネルギーが供給されている間、温度は、乾燥チャンバー内で継続的に上昇する傾向にある。加熱素子がオフにされると、温度は、低下し始める（ただし、いくらかオーバーシュートする可能性がある）。単一の乾燥サイクルの間、加熱素子のオン／オフが何度も切り替えられることがあり、その場合、温度対時間のグラフが鋸歯状の波形の外観をもつことになり、上昇勾配（温度をＹ軸、時間をＸ軸とする）は、加熱素子がオンにされた時に起こり、下降勾配は、加熱素子がオフにされた時に起こる。この鋸歯状の波形の区間では、温度対時間の全体的なチャートは、プラトーの外観を有しており、その際、チャートが乾燥サイクルの始めに比較的長い上昇勾配を示し、次いでプラトー領域（鋸波状の波形を示す）に達し、乾燥サイクルの終わりに勾配がプラトーの「向こう」側で継続的に下降する。
【００７０】
布地処理組成物が揮発性物質（ある種の香料など）である場合、通常、その乾燥チャンバーの温度が、加熱サイクルが完了するまで起こり得ない可能性がある特定のレベル未満になるまで、そのような揮発性物質を乾燥チャンバー内に放出しない方がよい。これを検出する１つの方法は、いつ加熱素子が実際にエネルギーを供給されるか又は供給されていないかを知ることであり、乾燥機の加熱素子制御装置につながれた一体型の制御デバイスが、加熱素子についてのその状態を認識することになり、したがって、加熱サイクルの終わりに加熱素子へのエネルギー供給が停止されるまで（加熱素子をオフにすることができるが、後でオンに戻すこともできる、加熱サイクルのプラトー領域の間ではなく）、布地処理組成物の分配又は適用を容易に阻止することができる。
【００７１】
しかし、加熱素子の制御状態が布地処理組成物の分配制御装置に知られていないとすると、これは、分配装置が乾燥機の制御装置と連通していない自蔵型ユニットである場合に起こり得るが、加熱サイクルの終わりを判定する他の手段が必要になる。加熱サイクル（又は「加熱イベント」）の終わりを判定する１つの方法は、以上で「プラトー領域」とも呼んだ、加熱サイクルの鋸歯状の波形部分の間に発生する最高温度及び最低温度を判定することである。例えば、乾燥機のチャンバーの内部温度が最高温度ＴＰ２まで上昇し、次いでＴＰ２よりも約１０〜１５℃低い瞬間「最低」温度に低下する場合、分配装置用の制御装置は、いつ布地処理組成物を適用し始めるべきか判定することができ、それは、乾燥機の内部温度が、最高のＴＰ２温度から１０〜１５℃差し引いた「最低」温度未満に低下した後である。これらの鋸歯状の最低及び最高温度値は、単一の温度差値と見なすことができ、その種の温度差を本明細書では変数「ＴＤＩＦＦ１」と呼ぶ。ＴＤＩＦＦ１値にはいくらか余分の許容範囲を設けることができ、結果として、例えば、ほとんどの家庭用乾燥機が乾燥サイクルのプラトー領域の間に約１５℃上下する場合、ＴＤＩＦＦ１の値を２０℃に設定することができる。
【００７２】
工程２２０が乾燥機の実際の温度ＴＰ３を測定した後、決定工程２２２が、最高温度ＴＰ２から実時間温度ＴＰ３を差し引いた値がＴＤＩＦＦ１値よりも大きいかどうかを判定する。その場合、分配装置１０のための制御装置は、確信をもって、加熱サイクルが終わったという結論に達することができる。この方法で、温度センサ４８を使用して、いつ布地物品乾燥器具がその冷却サイクルに入ったか判定することができる。多くの状況では、噴霧イベントを始める前に乾燥機の冷却サイクルが開始されるまで待機することが有益である。工程２２２の結果が「いいえ」である場合、論理の流れは、サイクルを工程２２０に戻って、実際の乾燥機温度を測定する。しかし、結果が「はい」である場合、論理の流れは、工程２２４に導かれ、その時点で布地処理組成物が乾燥機のチャンバー内に適用される。フローチャート２００では、それがこのルーチンの終わりになる。
【００７３】
一般に、乾燥機の内部温度は、本明細書ではその「運転温度」とも呼ばれ、図５の温度センサ４８のような温度センサによって測定することができる。乾燥機の典型的な内部温度は、物理的に乾燥チャンバー内の空気の温度になり、温度センサの設置（前壁、後壁、上壁、又は他の場所）は、本発明を使用する時に選択される温度設定点に影響を及ぼす可能性がある。また、布地物品自体の温度を監視することも可能であり、望むなら、その物理パラメータを「運転温度」として使用することができる。
【００７４】
温度センサは、サーミスタ、熱電対、あるいは白金ＲＴＤのような、いかなる典型的な種類のものにもすることができる。さらに、本発明の一部の用途では、温度センサを、むしろ「オン−オフ」デバイスにすることもできる。例えば、サーモスタットを使用して、いつ所定の運転温度が達成されたか判定することができる。本発明の一部の用途では、第１の温度（例えば、図１１の「ＴＰ２」）で状態を変化させ（例えば、開く）、第２の温度（例えば、図１１の「ＴＰ３」）で再び状態を変化させる（例えば、閉じる）ように、ある量のヒステリシスを与えてサーモスタットを設計することができる。オン−オフ又はデジタル温度感知デバイスを使用する時には、追加の論理が必要なことがある。
【００７５】
乾燥機の運転温度が、本発明の制御装置、例えば、図５のマイクロコントローラ６０によって実質的には「連続的に」監視されることが理解される。ほとんどの順次処理デバイスでは、ソフトウェアは、命令を一度に１つずつ実行し、フローチャート２００では、温度ＴＰ１は、ソフトウェアの実行可能な命令１つでサンプリングされ、後でソフトウェアが「ループ（loops）」してそれと同一の（又は類似の）実行可能な命令に戻った時に再びサンプリングされる。このルーピングアクション（looping action）は、しばしば非常に速く起こるので、実質的に瞬間的に見え、結果として制御装置が温度を連続的に監視しているように見える。ただし、制御装置が、例えば、可能な「急速」温度変動よりもはるかに速く動作するので、温度（及び他の入力）を文字通り各瞬間に監視する必要はない。
【００７６】
他方では、温度センサがデジタル出力を有する場合（電気機械式の切替接点を備えたサーモスタットなど）、そのタイプのセンサの効果は、乾燥機の運転温度を文字通り「連続的に」監視するものになる。（それがそうすべきと判定した時に状態を正確に変化させ、ソフトウェア命令が最初に実行されるのを「待機」しない。）言うまでもなく、順次処理デバイスには実施すべき他の多くのタスクがあるので、制御装置は、サーモスタットによって引き起こされるデジタル入力信号を必ずしも連続的に監視するわけではない。基本的に、制御装置は、通常、すべてソフトウェア命令の制御下で、ある種のルーピングアクションにおいてデジタル及びアナログ両方の入力データをサンプリングしている。ただし、本発明の制御装置の一部が、電圧比較器又は並列デジタル入力ゲートを使用して（例えば、マイクロプロセッサなしで）、主にディスクリート論理素子でできている場合、望むなら、温度を実質的に連続的に監視することができる。
【００７７】
前述したように、本発明の制御装置を、順次処理デバイス、並列処理デバイス、あるいは論理状態機械として構築することができる。順次デバイス（マイクロコントローラ６０など）が使用される場合、そのソフトウェア命令を、それがマルチタスクデバイスとして働くように配置できることが理解されよう。その方式では、あるルーチンから別のルーチンへと短い時間セグメントで「ジャンプ」することによって、恐らくそれらのルーチンのいずれも完了していない場合でも、実質的に実時間で多数のルーチンを実行することになる。この一例が、フローチャート２００の工程２１２及び２１４のあたりでルーピングアクションする間に起こり、その間、システム制御装置は、乾燥機の温度が低下するのを「待機」している。マイクロコントローラ６０がそのタスクだけを実行している場合、他のことを実行するのは不可能であり、その種の「実時間プログラミング」は、効率的ではない。
【００７８】
再び図１１を参照すると、フローチャート２５０は、再び工程２６０で乾燥サイクル「開始」コマンドで開始し、次いで工程２６２で乾燥機内の温度を測定する。フローチャート２６０では、この実時間温度値を「ＴＰ１１」と呼ぶ。
【００７９】
次に、論理の流れは、温度が前の温度サンプルから低下したかどうかを判定する決定工程２６４へと進み、答えが「いいえ」である場合、論理の流れは、工程２６２へと戻って、もう一度乾燥機の内部温度ＴＰ１１をサンプリングする。ただし、温度が低下している場合、論理の流れは、工程２６４から「はい」の出力を出て、２番目に最新の温度ＴＰ１１の値が、工程２６６で「最高温度」ＴＰ１２として格納される。ここまでのフローチャート２５０では、これらの諸工程は、フローチャート２００の論理と全く同じである。
【００８０】
次に、工程２７０は、再び乾燥機内の温度を測定し、今度はそれが変数ＴＰ１３として格納される。次に、決定工程２７２は、最高温度ＴＰ１２とその時点の実時間温度ＴＰ１３との差が温度差ＴＤＩＦＦ２よりも大きいかどうかを判定し、答えが「いいえ」である場合、論理の流れは工程２７０に戻って別の温度サンプルＴＰ１３を取る。結果が「はい」である場合、論理の流れは、新しい決定工程２７４に進む。
【００８１】
決定工程２７４では、その時点の乾燥機温度ＴＰ１３が、本明細書でＴＭＡＸと呼ぶ閾値温度と比較される。フローチャート２５０では、ＴＭＡＸは、布地処理組成物が分配される前に許容可能な実際の最高乾燥機温度を表す。前述したフローチャートの工程２６０〜２７２では、温度の読み値ＴＰ１１、ＴＰ１２及びＴＰ１３すべてが、最高温度ＴＭＡＸをはるかに上回る可能性がある。その場合、分配されることになる揮発性物質は、決定工程２７２で「はい」の結果を受け取ってすぐに布地上に適用される場合、所望の効果をもたないことがある。代わりに、恐らく、乾燥機内部の温度がもう少し冷えるまで、すなわちＴＭＡＸ温度閾値未満に低下するまで、待機する方がよい。工程２７４は、この判定を行い、結果が「いいえ」である場合、論理の流れは工程２７０に戻って温度ＴＰ１３を測定する。しかし、工程２７４の結果が「はい」である場合、論理の流れは工程２７６に進み、その時点で布地処理組成物が乾燥機のチャンバーに適用される。これが、このルーチンの終わりになる。
【００８２】
フローチャート２５０の主題の変形形態は、例えばキーパッド６６（図５参照）を使用して、ユーザが最高温度（ＴＭＡＸ）を調整できるようにすることである。ユーザ入力が可能な状況では、デバイス１０の制御装置によって実行されるソフトウェアが、通常、デフォルト値を有するので、ユーザがいずれかのタイプのデータを入力したかどうかに関わらず、装置は自動的に動作する。その状況では、ＴＭＡＸの値は、既に制御装置（マイクロコントローラ６０など）用のメモリデバイス内に存在しており、最高温度の数値は、例えば、７０℃ほどの高さにすることができ、場合によっては２５℃ほどの低さにすることもできる。ＴＭＡＸ値は、主に、布地物品処理システム１０によって分配されようとしている揮発性物質の種類によって決まる。
【００８３】
フローチャート２００及び２５０の他の変形形態では、最高温度（ＴＰ２又はＴＰ１２）自体が、特定の乾燥サイクルについて「真の」最高温度として承認される前の最低値又は最高値をもつことができる。例えば、布地物品処理システム１０が、それらのチャンバーを通常少なくとも８０℃まで加熱する、一連の特定の乾燥機と共に機能するように製造される場合、またさらに運転中に達成される最高温度がわずか約５０℃である場合、制御装置は、乾燥機が正しく動作していないという結論に達することがある。その状況では、制御装置は、例えばＬＥＤを点灯することによって、ユーザにエラー信号を送ろうとすることができる。加えて、この状況では布地処理組成物が全く適用されないように（それが望ましい結果である場合）制御装置をプログラムすることもできる。乾燥サイクルの終わりに布地物品が完全には乾燥していない場合でも（「正しい」最高温度に達したことがないのが原因で）、やはり布地処理組成物を分配させることが望ましいこともあるので、この種の決定は、システム設計者に委ねることができる。
【００８４】
ここで図１２を参照すると、フローチャート３００は、工程３１０で「乾燥サイクル」タイマーを設定することによって始まる。乾燥サイクルタイマーの値は、このフローチャート３００ではＴＭ１と呼ばれる変数に格納される。乾燥サイクルタイマーは、好ましくは乾燥装置自体のための制御装置と同一の時間間隔に設定される。布地物品処理システムが、乾燥機の制御装置と一体につながれた制御装置を有する場合、布地物品処理システム１０のための制御装置（マイクロコントローラ６０など）がこの乾燥サイクル時間を直ちに知ることができる。ただし、布地物品処理システム１０が、乾燥機自体の制御装置と連通していない独立した自蔵型デバイスである場合、乾燥サイクルタイマー値ＴＭ１を入力するための独立した方法を使用しなければならない。図５のキーパッド６６は、例えばユーザが手動で乾燥サイクルのための時間を分単位で入力できる、乾燥サイクル時間を入力するための手段である。やはり、キーパッド６６に入力される分単位の時間は、好ましくはユーザが乾燥機の制御装置に入力する分単位の時間と合っている。例えば、回転ノブを有するダイヤルデバイスなど、代替的なタイマー入力デバイスを代わりに使用することができる。
【００８５】
乾燥サイクルタイマー値ＴＭ１が設定されたら、工程３１２で乾燥サイクルを開始することができる。次に、決定工程３２０は、乾燥サイクル自体についての経過時間が所定の時間間隔を超えたかどうかを判定する。工程３２０では、時間閾値は、Ｋ×ＴＭ１と呼ばれ、係数Ｋは、乾燥サイクル時間ＴＭ１全体のパーセンテージを表す。発明の一形態では、乾燥サイクル時間ＴＭ１の最後の２５％まで、布地処理組成物が適用されないようにすることが望ましい。その状況では、係数Ｋは、７５％に設定されることになる。これは、内部デフォルト設定にすることができ、又はシステム設計者が、ユーザがキーパッド６６を用いて係数Ｋを設定できるようにすることもできる（ただし、次のフローチャート３３０は、ユーザがパーセンテージとしてではなく時間単位で数字を入力できるので、いくらか「ユーザフレンドリー」性が高いかもしれない）。
【００８６】
経過時間がＫ×ＴＭ１を超えていない場合、論理の流れは、決定工程３２０の始めに戻って、経過時間が実際にその値Ｋ×ＴＭ１を超えるまで時間サンプルを取り続ける。超えた時点で、論理の流れは、「はい」の結果から工程３２２へと進む。その時点で、布地処理組成物が乾燥機のチャンバー内に適用され始め、このルーチンが終了する。
【００８７】
図１１に関して前述した論理を補い、又は置き換えるために、フローチャート３００の論理を使用することができる。例えば、乾燥機が「ふんわり（fluff）」又は「再ふんわり（refluff）」モードで使用されようとしている場合、乾燥機の加熱素子に全くエネルギーが供給されないことがある。その状況では、上昇又は低下しているいずれの種類の読み値にも意味がないので、乾燥機の運転サイクルがその時点でどの状況にあるかを正確に判定する際にそれらの読み値に頼ることができない。代わりに、経過時間が、いつ布地処理組成物を適用すべきかに関する判定を行うための、はるかに有用なパラメータになる。
【００８８】
さらに、乾燥サイクルのフローチャート３００は、乾燥機がその内部温度を上昇させるはずであるが、何らかの理由で「短いサイクル」になってその通常の最高温度に達することがなく、又は加熱素子に通常の程度までエネルギー供給しない（特定の制限時間内で通常の最高温度に達するのを妨げることがある）モードで使用された状況で、フローチャート２００を補うこともできる。その状況では、フローチャート３００の論理を使用して、フローチャート２００又は２５０の決定工程２２２又は２７４のいずれかについて温度条件が達成される前に経過時間閾値Ｋ×ＴＭ１が得られるように、フローチャート２００の論理を補うことができる。その状況では、乾燥機内の実際の温度に関わらず、フローチャート３００の決定工程３２０の論理に従って布地処理組成物を適用することができる。通常予想される最高温度が実際に得られない場合、実際の温度は、本来ならば存在する「高温」チャンバー内で無駄に消費することなく揮発性物質を分配させるほど、低くなることがある。
【００８９】
フローチャート３３０は工程３４０から始まり、ここでは、変数ＴＭ１１と呼ばれる乾燥サイクルタイマーがユーザによって設定される。工程３４０では、ユーザは、また、フローチャート３００で変数名ＴＭ１２が与えられた「分配時間」タイマーも設定する。このフローチャート３３０における論理によって、ユーザが、乾燥機のチャンバー内への布地処理組成物の適用開始を決定する実際の時間を工学単位（例えば、分又は秒）で設定できるようになる。例えば、乾燥サイクルタイマーが（ＴＭ１１について）６０分に設定され、且つ分配時間タイマーが（ＴＭ１２について）２０分に設定される場合、乾燥機は、布地処理組成物が適用されることなく４０分動作し、次いで乾燥サイクル時間に２０分を残して、組成物の適用が始まる。
【００９０】
フローチャート３００の論理は、次の通りである：工程３４２で乾燥サイクルが始まる。次に、決定工程３４４が、経過時間が時間ＴＭ１１とＴＭ１２との差を超えているかどうかを判定する。答えが「いいえ」である場合、論理の流れは、工程３４４の始めに戻り、十分な時間が経過して最終的に結果が「はい」になるまで「ルーピング」し続ける。
【００９１】
次に、論理の流れは工程３４６に進み、乾燥機のチャンバー内へと布地処理組成物を適用し始め、それがこのルーチンの終わりになる。フローチャート３３０の論理は、システム設計者によってユーザが入力可能なもの（例えば、キーパッド６６を介して）と判定されることができ、又は、変数ＴＭ１２についての分配タイマー値が、特定の用途で常に使用されるデフォルト値をもつことができる。例えば、合計乾燥サイクル時間ＴＭ１に関わらず、常に乾燥サイクルの終わりの少なくとも８分間に布地処理組成物を分配させることが望ましい場合がある。その状況では、分配時間タイマー値ＴＭ１２をデフォルト値として８分に設定することができ、システム設計者は、他の運転モードに関わらずこのデフォルト値が常に観察されるように、マイクロコントローラ６０上で実行するソフトウェアを作製することができる。これは、必ずしも布地物品処理システム１０のすべての用途に望ましいわけではないが、少なくとも１つの選択肢である。
【００９２】
一般に、乾燥サイクルの間の経過時間は、本明細書では乾燥機の「運転時間」とも呼ばれ、実質的にいかなるタイプの時間管理デバイスでも決定することができる。デジタル処理デバイス（図５のマイクロコントローラ６０など）が使用される場合、「クロックサイクル」ごとに処理デバイスにソフトウェア命令を実行させるために、通常、高周波クロックが回路設計に含められる。システムクロックのサイクル率は、１秒間又は１０分の１秒間（前述）のような「実時間」間隔を作り出すためにより低い周波数へと容易に分割される（デジタル除算器によって）ことができ、乾燥機の運転時間は、そのような実時間間隔を基準にすることができる。他方では、望むなら、独立したパルス発生器からクロックパルスを受け取るデジタルカウンタのような、独立したクロックデバイスを設けることができる。
【００９３】
乾燥機の運転時間が、本発明の制御装置、例えば、図５のマイクロコントローラ６０によって実質的に「連続的に」監視されることが理解される。ほとんどの順次処理デバイスでは、ソフトウェアは、命令を一度に１つずつ実行し、フローチャート３００では、経過時間を、ソフトウェアの実行可能な命令１つでサンプリングすることができ（例えば、工程３２０において）、後でソフトウェアが「ループして」それと同一の（又は類似の）実行可能な命令に戻った時に再びサンプリングされる。このルーピングアクションは、しばしば、非常に速く起こるので、実質的に瞬間的に見え、結果として、実際にはルーピングアクションが起こる速度に従って経過時間が「サンプリング」されているのに、制御装置が時間を連続的に監視するように見える。
【００９４】
しかし、デバイスの運転に関わる決定を行うのに時間経過を知ることが重要と思われる場合、ソフトウェアを、例えば、実時間クロックの増分増加が起こるたびに（例えば、新しいクロックパルスごとに、又は状態の逆クロック変化（counter-clock change）のたびに）、マスク不可能な割り込みを発生させるように作成することができ、タイミングルーチンを割り込みルーチンの一部として実行することができる。言うまでもなく、本発明の制御装置の一部が、恐らくはデジタルカウンタ及びデジタル比較器を備えたパルス発生器を使用して（例えば、マイクロプロセッサなしで）、個別論理素子でできている場合、望むなら、時間を実質的に連続的に監視することができる。
【００９５】
経過時間を使用する他の例が、フローチャート３５０に示されており、第１の工程３６０は、フローチャート３５０で変数ＴＭ２１にロードされる値を有する、乾燥サイクルタイマーを設定することである。次の工程３６２は、乾燥サイクルを開始する。
【００９６】
次に、決定工程３７０は、経過時間が、合計乾燥サイクル時間ＴＭ２１に関連した時間閾値として事前に設定された値を超えたかどうかを判定する。この事前に設定された時間は、フローチャート３００の工程３２０の論理によく似た係数を使用する。このフローチャート３５０では、係数は「Ｋ１」と呼ばれ、時間閾値はＫ１×ＴＭ２１と呼ばれる。Ｋ１は、通常、パーセンテージとして設定され、乾燥サイクルの最終的な量に関して使用される。例えば、Ｋ１が７５％に設定される場合、布地処理組成物は、乾燥サイクル時間間隔ＴＭ２１の最後の２５％の間に分配又は適用されることになる。
【００９７】
経過時間がこの閾値Ｋ１×ＴＭ２１を超えていない場合、論理の流れは、この決定工程３７０の始めへと戻され、十分な時間が経過して最終的に「はい」の結果を達成するまで「ループ」し続ける。次に、論理の流れは、工程３７２に進み、乾燥機のチャンバーへと布地処理組成物を適用し始める。
【００９８】
次に、論理の流れは、経過時間が、フローチャート３５０では係数Ｋ２×乾燥サイクル時間ＴＭ２１と呼ばれる、異なる時間閾値を超えたかどうかを判定する決定工程３８０へと進む。この係数Ｋ２は、係数Ｋ１よりも小さな数になる。結果が「いいえ」である場合、論理の流れは、決定工程３８０の始めに戻り、十分な時間が経過して最終的に「はい」の結果が達成されるまで、論理が「ループ」し続ける。達成された時点で、工程３８２は、乾燥機のチャンバー内への布地処理組成物の適用を停止し、それがこのルーチンの終わりになる。
【００９９】
それによって、フローチャート３５０は、ユーザ（又はシステム設計者）が乾燥サイクルの間に開始点及び停止点の両方を設定できるようにし、さらに、これらの開始係数及び停止係数を、デフォルト値としてソフトウェアに事前にロードすることもできる。例えば、Ｋ１が２５％に等しく、Ｋ２が０．７５％に等しい場合、布地処理組成物は、乾燥サイクルの経過時間内の７５％の時点で適用され始め、布地処理組成物は、乾燥サイクル時間ＴＭ２１全体の９９．２５％の経過時間の時点で適用を停止される。これが、乾燥チャンバー内部の布地物質に、いくらか湿った又は濡れた感触ではなく、「乾燥」しているという最終的な触覚的品質を与える。換言すれば、布地処理組成物が完全に乾燥サイクルの終わりまで分配され、且つユーザが直ちに乾燥機の扉を開けて布地物品を掴む場合、これらの物品がいくらか濡れた又は湿った触覚的品質になることがある。フローチャート３５０の論理は、その種の結果を恐らく防ぐであろう。Ｋ２の値を、１００％までは設定できないように制限することが望ましい場合がある。
【０１００】
フローチャート３５０の論理を、図１１の温度ベースの論理を含めて、前述の図１１及び１２のフローチャート例のいずれかと組み合わせることができることが、自明のはずである。前述したように、フローチャート２００及び２５０は、布地処理組成物の適用を始めるだけで、いつ布地処理組成物を終了させるべきかを正確には対処していない。フローチャート３５０は、その目的にだけ、フローチャート２００又は２５０の温度ベースの論理と併せて使用することができる。
【０１０１】
図１１及び１２のフローチャートの論理演算を、前述した以外の他の様々な方法で組み合わせることができ、それでもそれが本発明の原理の範囲内に入ることが理解されよう。
【０１０２】
本発明の任意の態様の１つは、乾燥サイクルの間に異なる２つの時間間隔で布地処理組成物を提供することである。例えば、布地処理組成物を、乾燥サイクル中のかなり早い時点で布地柔軟仕上げ剤として適用することができ；次いで、それよりも後の時点で（例えば「冷却」段階の間に）、香料として、あるいは他の何らかのタイプの有益な特性又は効果を提供するために、布地処理組成物を適用することができる。噴霧／分配の第１の部分が終了した後に、通常、乾燥サイクルの間に分配が全く起こらない時間間隔が存在するので、そのような分配プログラムを布地処理組成物適用（例えば、噴霧）の「分割サイクル」と呼ぶことができる。
【０１０３】
それでも、本発明の原理は、分配の分割サイクルに当て嵌まり、その際、布地処理組成物の揮発性の特徴が、乾燥装置の乾燥サイクル全体の「終わり」近くで最適に使用される。それが所望の結果である場合、図１１及び１２のフローチャートに記載した論理演算は、布地物品への布地処理組成物のそのような分配又は適用を導入するために使用し得る、代表的な一連の処理工程を提供する。
【０１０４】
２つの「分割」分配サイクルの間に経過時間間隔が存在しない状況があり得ることに留意すべきである。これは、例えば、乾燥装置のユーザによって非常に短い乾燥サイクル時間が選択された場合、又は乾燥装置の乾燥チャンバー内に非常に少量の布地物品が入れられた場合に起こり得る。それらの状況の１つでは、第１の噴霧イベントと第２の噴霧イベントとが重なり合うことが可能な場合があり、結果として、第２の噴霧イベントを始める時間になる前に第１の噴霧イベントが終了していないので、「真の」分割間隔噴霧手順がなくなることになる。したがって、その間に噴霧が全く起こらない経過時間間隔が存在しないことがある。しかし、乾燥サイクルの「終わり」近くの「いつ」布地処理組成物を適用すべきかを判定する処理論理（図１１及び１２のフローチャートの論理など）に関しては、やはり適切な時間及び／又は温度入力情報に基づいて同一の決定がなされることになる。換言すれば、「第２の噴霧イベント」を「開始」させる制御装置の決定がなされなければならず、さもなければこの実施例の「第１の噴霧イベント」の終わりに布地処理組成物の適用が停止され、第２の噴霧イベントが全く始まらない可能性がある。
【０１０５】
（布地処理組成物）
本出願人らの発明の一態様は、１気圧において２５０℃以下の沸点を有する香料物質を少なくとも３０重量％、３５重量％〜１００重量％、４０重量％〜１００重量％、又は４０重量％〜７０重量％含む香料のような物質を、少なくとも０．００５重量％、０．００５重量％〜１０重量％、又は０．１重量％〜２重量％と、布地処理物質と、任意のキャリアと、残部に１以上の補助剤成分とを含むことができる、布地処理組成物である。
【０１０６】
１気圧で２５０℃以下の沸点を有する好適な香料物質の例としては、これらに限定するものではないが、アリルシクロヘキサンプロピオネート、アリルヘプタノエート、アリルカプロエート、アロオシメン、アミルアセテート（ｎ−ペンチルアセテート）、アミルプロピオネート、アセトアニソール、ｐ−アニスアルデヒド、アニソール、トランス−アネトール、ベンズアルデヒド（ベネゼンカルボキシアルデヒド（Benezenecarboxaldehyde））、ベンジルアセテート、ベンジルブチレート、ベンジルアセトン、ベンジルアルコール、ベンジルホルメート、ベンジルプロピオネート、β−γ−ヘキサノール（２−ヘキセン−１−オール）、（＋）−カンファー、カジネン、カンフェン、カルバクロール、シス−３−ヘキセニルチグレート、（＋）−カルボン、シトロネロール、シトロネリルアセテート、シトロネリルニトリル、シトロネリルプロピオネート、シクロヘキシルエチルアセテート、Ｌ−カルボン、ケイ皮アルコール、シンナミルホルメート、シス−ジャスモン、シス−３−ヘキセニルアセテート、シトラール、クミンアルコール、クミンアルデヒド、２，４−ジメチル−３−シクロヘキセン−１−カルボキシアルデヒド、ジメチルベンジルカルビノール、ジメチルベンジルカルビニルアセテート、デシルアルデヒド（カプルアルデヒド）、ジヒドロミルセノール、ジヒドロミルセニルアセテート、３，７−ジメチル−１−オクタノール、ジフェニルオキシド、エチルアセテート、エチルアセトアセテート、エチルアミルケトン、エチルベンゾエート、エチルブタノアート、３−ノナノン（エチルヘキシルケトン）、エチルフェニルアセテート、ユーカリプトール、オイゲノール、フェンキルアルコール、フェンキルアセテート（１，３，３−トリメチル−２−ノルボルナニルアセテート）、トリシクロデセニルアセテート、トリシクロデセニルプロピオネート、γ−ノナラクトン、ゲラニルアセテート、ゲラニルホルメート、ゲラニルニトリル、トランス−ゲラニオール、シス−３−ヘキセニルイソブチレート、ヘキシルネオペンタノエート、ヘキシルチグレート、シス−３−ヘキセン−１−オール／青葉アルコール、ヘキシルアセテート、ヘキシルホルメート、ヒドラトピックアルコール（Hydratopic alcohol）、ヒドロキシシトロネラール、α−イオノン、イソボルニルアセテート、イソブチルベンゾエート、イソノニルアセテート、イソノニルアルコール（３，５，５−トリメチル−１−ヘキサノール）、イソプレギルアセテート、インドール（２，３−ベンゾピロール）、イソアミルアルコール、イソプロピルフェニルアセテート、イソプレゴール、イソキノリン（ベンゾピリジン）、ラウルアルデヒド（Lauraldehyde）、ｄ−リモネン、リナリルアセテート、２，３−ジメチル−３−シクロヘキセン−１−カルボキシアルデヒド、リナロール、リナロールオキシド、リナリルホルメート、メントン、（−）−Ｌ−メンチルアセテート、メチルカビコール（エストラゴール）、メチル−ｎ−ノニルアセトアルデヒド、メチルオクチルアセトアルデヒド、β−ミルセン、４−メチルアセトフェノン、メチルペンチルケトン、メチルアントラニレート、メチルベンゾエート、メチルフェニルカルビニルアセテート（α−メチルベンジルアセ��ート）、メチルオイゲノール（オイゲノールメチルエーテル）、メチルヘプテノン（６−メチル−５−ヘプテン−２−オン）、メチルヘプチンカーボネート（メチル−２−オクチノエート（octynoate））、メチルヘプチルケトン、メチルヘキシルケトン、メチルサリチレート、ジメチルアントラニレート、ネリルアセテート、ノニルアセテート、ノンアルデヒド、ネロール、δ−ノナラクトン、γ−オクタラクトン、２−オクタノール、オクチルアルデヒド（カプリル酸アルデヒド）、ｐ−クレゾール、ｐ−シメン、α−ピネン、β−ピネン、ｐ−クレジルメチルエーテル、２−フェノキシエタノール、フェニルアセトアルデヒド、２−フェニルエチルアセテート、フェニルエチルアルコール、フェニルエチルジメチルカルビノール（ベンジル−ｔｅｒｔ−ブタノール）、プレニルアセテート、プロピルブタノアート、（＋）−プレゴン、メチルイソブテニルテトラヒドロピラン、サフロール、４−テルピネオール（terpinenol）、α−テルピネン、γ−テルピネン、α−テルピニルアセテート、テトラヒドロリナロール、テトラヒドロミルセノール、テルピノレン（α−テルピネオール）、２−ウンデセナール、１，２−ジメトキシベンゼン、フェニルアセトアルデヒドジメチルアセタール、ｏ−ｔ−ブチルシクロヘキシルアセテート、４−ｔｅｒｔ−ブチルシクロヘキシルアセテートが挙げられる。
【０１０７】
本出願人らの発明の別の態様では、１気圧で２５０℃以下の沸点を有する好適な香料物質の例としては、これらに限定するものではないが、アリルカプロエート、アミルアセテート（ｎ−ペンチルアセテート）、アミルプロピオネート、ｐ−アニスアルデヒド、アニソール、ベンズアルデヒド（ベネゼンカルボキシアルデヒド（Benezenecarboxaldehyde））、ベンジルアセテート、ベンジルアセトン、ベンジルアルコール、ベンジルホルメート、（＋）−カンファー、（＋）−カルボン、Ｌ−カルボン、ケイ皮アルコール、シス−３−ヘキセニルアセテート、シトラール（ネラール）、２，４−ジメチル−３−シクロヘキセン−１−カルボキシアルデヒド、ジメチルベンジルカルビノール、ジメチルベンジルカルビニルアセテート、エチルアセテート、エチルアセトアセテート、エチルアミルケトン、エチルベンゾエート、ユーカリプトール、オイゲノール、フェンキルアルコール、トリシクロデセニルアセテート、トリシクロデセニルプロピオネート、γ−ノナラクトン、トランス−ゲラニオール、シス−３−ヘキセン−１−オール／青葉アルコール、ヘキシルアセテート、ヒドロキシシトロネラール、リグストラール（２，３−ジメチル−３−シクロヘキセン−１−カルボキシアルデヒド）、リナロール、リナロールオキシド、リナリルホルメート、メントン、４−メチルアセトフェノン、メチルアントラニレート、メチルベンゾエート、メチルフェニルカルビニルアセテート（α−メチルベンジルアセテート）、メチルオイゲノール（オイゲノールメチルエーテル）、メチルヘプチンカーボネート（メチル−２−オクチノエート（octynoate））、メチルヘプチルケトン、メチルヘキシルケトン、メチルサリチレート、ジメチルアントラニレート、ネロール、δ−ノナラクトン、γ−オクタラクトン、オクチルアルデヒド（カプリル酸アルデヒド）、ｐ−クレジルメチルエーテル、フェニルアセトアルデヒド、フェニルエチルアルコール、フェニルエチルジメチルカルビノール（ベンジル−ｔｅｒｔ−ブタノール）、プレニルアセテート、メチルイソブテニルテトラヒドロピラン、テルピノレン（α−テルピネオール）、アロオシメン、アリルシクロヘキサンプロピオネート、アリルヘプタノエート、トランス−アネトール、ベンジルブチレート、カンフェン、シトロネロール、シトロネリルアセテート、シトロネリルニトリル、デシルアルデヒド（カプルアルデヒド）、ジヒドロミルセノール、ジヒドロミルセニルアセテート、３，７−ジメチル−１−オクタノール、ジフェニルオキシド、フェンキルアセテート（１，３，３−トリメチル−２−ノルボルナニルアセテート）、ゲラニルアセテート、ゲラニルホルメート、ゲラニルニトリル、シス−３−ヘキセニルイソブチレート、α−イオノン、イソボルニルアセテート、ラウルアルデヒド（Lauraldehyde）、ｄ−リモネン、リナリルアセテート、メチルカビコール（エストラゴール）、メチル−ｎ−ノニルアセトアルデヒド、メチルオクチルアセトアルデヒド、β−ミルセン、ノンアルデヒド、ｐ−シメン、α−ピネン、β−ピネン、α−テルピネン、γ−テルピネン、α−テルピニルアセテート、テトラヒドロリナロール、テトラヒドロミルセノール、２−ウンデセナール、ｏ−ｔ−ブチルシク��ヘキシルアセテート、４−ｔｅｒｔ−ブチルシクロヘキシルアセテートが挙げられる。
【０１０８】
本出願人らの発明の別の態様では、１気圧で２５０℃以下の沸点を有する好適な香料物質の例としては、これらに限定するものではないが、アリルカプロエート、アミルアセテート（ｎ−ペンチルアセテート）、アミルプロピオネート、ｐ−アニスアルデヒド、ベンズアルデヒド（ベネゼンカルボキシアルデヒド（Benezenecarboxaldehyde））、ベンジルアセテート、ベンジルアセトン、（＋）−カンファー、Ｌ−カルボン、ケイ皮アルコール、シス−３−ヘキセニルアセテート、シトラール（ネラール）、２，４−ジメチル−３−シクロヘキセン−１−カルボキシアルデヒド、ジメチルベンジルカルビニルアセテート、エチルアセトアセテート、エチルアミルケトン、ユーカリプトール、オイゲノール、フェンキルアルコール、トリシクロデセニルアセテート、トリシクロデセニルプロピオネート、シス−３−ヘキセン−１−オール／青葉アルコール、ヘキシルアセテート、ヒドロキシシトロネラール、２，３−ジメチル−３−シクロヘキセン−１−カルボキシアルデヒド、リナロール、リナロールオキシド、リナリルホルメート、メントン、メチルアントラニレート、メチルベンゾエート、メチルフェニルカルビニルアセテート（α−メチルベンジルアセテート）、メチルオイゲノール（オイゲノールメチルエーテル）、メチルヘプチンカーボネート（メチル−２−オクチノエート（octynoate））、メチルヘプチルケトン、メチルヘキシルケトン、メチルサリチレート、δ−ノナラクトン、オクチルアルデヒド（カプリル酸アルデヒド）、ｐ−クレジルメチルエーテル、フェニルエチルアルコール、プレニルアセテート、メチルイサオブテニルテトラヒドロピラン（methyl isao butenyl tetrahydro pyran）、テルピノレン（α−テルピネオール）、アロオシメン、アリルシクロヘキサンプロピオネート、カンフェン、シトロネロール、シトロネリルアセテート、シトロネリルニトリル、デシルアルデヒド（カプルアルデヒド）、ジヒドロミルセノール、ジヒドロミルセニルアセテート、フェンキルアセテート（１，３，３−トリメチル−２−ノルボルナニルアセテート）、ゲラニルアセテート、ゲラニルホルメート、ゲラニルニトリル、α−イオノン、イソボルニルアセテート、ラウルアルデヒド（Lauraldehyde）、ｄ−リモネン、リナリルアセテート、メチルカビコール（エストラゴール）、メチル−ｎ−ノニルアセトアルデヒド、メチルオクチルアセトアルデヒド、β−ミルセン、ノンアルデヒド、ｐ−シメン、α−ピネン、β−ピネン、α−テルピネン、γ−テルピネン、テトラヒドロリナロール、テトラヒドロミルセノール、２−ウンデセナール、ｏ−ｔ−ブチルシクロヘキシルアセテート、４−ｔｅｒｔ−ブチルシクロヘキシルアセテートが挙げられる。
【０１０９】
前述の香料物質は、香料物質の供給元である、フィルメニッヒ（Firmenich）（スイス、ジュネーブ）、ジボダン（Givaudan）（フランス、アルジャントゥーユ（Argenteuil））、ＩＦＦ（ニュージャージー州ヘーズレット（Hazlet））、クエスト（Quest）（ニュージャージー州マウントオリーブ（Mount Olive））、ベドーキアン（Bedoukian）（コネチカット州ダンベリー）、シグマ・アルドリッチ（Sigma Aldrich）（ミズーリ州セントルイス）、ミレニアム・スペシャルティ・ケミカルズ（Millennium Specialty Chemicals）（イリノイ州オリンピアフィールズ）、ポラロン・インターナショナル（Polarone International）（ニュージャージー州ジャージーシティ）、フレグランス・リソーシズ（Fragrance Resources）（ニュージャージー州キーポート）、及びアロマ＆フレーバー・スペシャルティーズ（Aroma & Flavor Specialties）（コネチカット州ダンベリー）のうちの１つ以上から得ることができる。
【０１１０】
処理物質は、これらに限定するものではないが、柔軟性、汚れの再付着防止、染みをはじく性質若しくは撥水性、色若しくは白さの向上、吸収力の向上、静電気防止性、抗菌性、又は布地の磨耗耐性を含めた１以上の布地利益を提供する。このような利益を提供できる物質を含有する物質の部類としては、これらに限定するものではないが、カチオン性物質、非イオン性物質、他のポリマー物質、及び粒子状物質が挙げられる。本発明の組成物は、処理物質を含む。通常、前記処理物質は、組成物の総重量に基づいて、少なくとも約０．５重量％、少なくとも約２重量％、約４重量％〜約９０重量％、約４重量％〜約５０重量％、又は約４重量％〜約１０重量％のうちの１つの濃度で存在する。
【０１１１】
好適なカチオン性物質としては、これらに限定するものではないが、プロトン化可能なアミン、アルキル第四級アンモニウム化合物、カチオン性シリコーン、及びカチオン性ポリマーが挙げられる。好適なプロトン化可能なアミンとしては、以下の式Ｉを有するプロトン化可能なアミンが挙げられ：
【化１】
0004781995.tif 000002
【０１１２】
式中、添字ｍは０、１、２、又は３であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２ヒドロキシアルキル又はベンジル基から独立して選択され；各Ｒ１は、Ｃ１１〜Ｃ２２の直鎖アルキル、Ｃ１１〜Ｃ２２の分枝状アルキル、Ｃ１１〜Ｃ２２の直鎖アルケニル、又はＣ１１〜Ｃ２２の分枝状アルケニルから独立して選択され；各Ｑは、カルボニル、カルボキシル、又はアミド部分を含んでよい。
【０１１３】
アルキル化した好適な第四級アンモニウム化合物（ｑｕａｔｓ）としては、モノ−アルキルｑｕａｔｓ、ジ−アルキルｑｕａｔｓ、トリ−アルキルｑｕａｔｓ、及びテトラ−アルキルｑｕａｔｓ、並びにある種のカチオン性界面活性剤が挙げられる。好適なモノ−アルキルｑｕａｔｓ、ジ−アルキルｑｕａｔｓ、トリ−アルキルｑｕａｔｓ、及びテトラ−アルキルｑｕａｔｓは、通常、以下の式ＩＩを有しており：
【化２】
0004781995.tif 000003
【０１１４】
式中、添字ｍは０、１、２、３、又は４であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２ヒドロキシアルキル又はベンジル基から独立して選択され；各Ｒ１は、Ｃ１１〜Ｃ２２の直鎖アルキル、Ｃ１１〜Ｃ２２の分枝状アルキル、Ｃ１１〜Ｃ２２の直鎖アルケニル、又はＣ１１〜Ｃ２２の分枝状アルケニルから独立して選択され；Ｘ−は、クロライド、ブロミド又はメチルサルフェートのような水溶性のアニオン種であり、Ｑは、カルボニル、カルボキシル、又はアミド部分を含んでよい。
【０１１５】
好適なカチオン性界面活性剤としては、モノＣ６〜Ｃ１６、好ましくはＣ６〜Ｃ１０のＮ−アルキル又はアルケニルアンモニウム界面活性剤から成る群から選択される第四級アンモニウム界面活性剤が挙げられ、残っているＮ位置は、メチル、ヒドロキシエチル又はヒドロキシプロピル基で置換される。別の好ましいカチオン性界面活性剤は、第四級コリンエステルのような、第四級アンモニウムアルコールのＣ６〜Ｃ１８アルキル又はアルケニルエステルである。より好ましくは、カチオン性界面活性剤は、以下の式ＩＩＩを有し：
【化３】
0004781995.tif 000004
【０１１６】
式中、Ｒ１は、Ｃ８〜Ｃ１８ヒドロカルビル、好ましくはＣ８〜１４アルキル、より好ましくはＣ８、Ｃ１０又はＣ１２のアルキルであり、Ｘ−は、クロライド、ブロミド又はメチルサルフェートのような水溶性のアニオン種である。
【０１１７】
好適なカチオン性シリコーンとしては、アミン誘導化合物によって官能化されたシリコーン、及びカチオン性シリコーンポリマーが挙げられる。アミン誘導化合物によって官能化された好適なシリコーンとしては、以下の式ＩＶを有するアミノシリコーンが挙げられ：
（Ｒ１Ｒ２Ｒ３ＳｉＯ１／２）ｐ（Ｒ４Ｒ４ＳｉＯ２／２）ｍ［Ｒ４Ｓｉ（Ｌ−ＮＲ５Ｒ６）Ｏ２／２］ａ［Ｓｉ（Ｋ−ＮＲ７Ｒ８）Ｏ３／２］ｂ［Ｒ４ＳｉＯ３／２］ｃ
（式ＩＶ）
式中、ｍ、ａ、ｂ、及びｃは、０〜６０００の整数から独立して選択され；ｐは２＋ｂ＋ｃであり；Ｒ１、Ｒ２、Ｒ３、Ｒ４、Ｒ５、Ｒ６、Ｒ７、Ｒ８、Ｌ、Ｋは、分子内のシリコーン又は窒素原子に結合した様々な側鎖である。以上の式ＩＶでは、Ｒ１、Ｒ２、Ｒ３、Ｒ４は：
１）Ｃ１〜Ｃ２２の直鎖若しくは分枝状の置換若しくは非置換ヒドロカルビル部分；あるいは
２）式中、Ｒ１１、Ｒ１２、Ｒ１３、及びＲ１４が、Ｈ、又はＣ１〜Ｃ２２の直鎖若しくは分枝鎖の置換若しくは非置換ヒドロカルビル部分から独立して選択される、−Ｏ−Ｒ１１、−Ｏ−Ｒ１２、−Ｏ−Ｒ１３、及び−Ｏ−Ｒ１４
から独立して選択される。
【０１１８】
以上の式ＩＶでは、Ｌ及びＫは、Ｃ１〜Ｃ２２の直鎖又は分枝鎖の置換又は非置換ヒドロカルビル部分から独立して選択される。好ましくは、Ｌ及びＫは、Ｃ１〜Ｃ１２の直鎖又は分枝鎖の置換又は非置換ヒドロカルビル部分から独立して選択される。より好ましくは、Ｌ及びＫは、Ｃ１〜Ｃ４の直鎖又は分枝鎖の置換又は非置換ヒドロカルビル部分から独立して選択される。最も好ましくは、Ｌ及びＫは、メチレン、エチレン、プロピレン、２−メチルプロピレン、ブチレン、オクタデシレン、又は３−（２，２’，６，６’−テトラメチル−４−オキシ−ピペリジル）プロピルから独立して選択される。以上の式ＩＶでは、Ｒ５、Ｒ６、Ｒ７、及びＲ８は、Ｈ、又はＣ１〜Ｃ２２の直鎖若しくは分枝鎖の置換若しくは非置換ヒドロカルビル部分から独立して選択される。
【０１１９】
以上の式ＩＶで使用する時、「ＳｉＯｎ／２」は、酸素原子とケイ素原子との比率を意味しており、すなわち、ＳｉＯ１／２は、１つの酸素原子が２つのケイ素原子の間で共有されることを意味する。
【０１２０】
好適なカチオン性シリコーンポリマーとしては、以下の式Ｖを有するカチオン性シリコーンポリマーが挙げられ：
【化４】
0004781995.tif 000005
【０１２１】
式中、［ＣＡＰ］は、主鎖の末端又はトランケーション（truncation）ユニットであり；ｍは、１〜５０の整数であり、各Ｚユニットは、以下の式ＶＩを有しており：
【化５】
0004781995.tif 000006
【０１２２】
ここで、式ＶＩについて：
ｘは、０又は１であり；
Ｗは、以下の式ＶＩＩを有するシロキサンユニットであり：
【化６】
0004781995.tif 000007
【０１２３】
ここで、式ＶＩＩについて、各Ｒ１ユニットは、Ｃ１〜Ｃ２２の直鎖又は分枝鎖の置換又は非置換ヒドロカルビル部分であり；
ここで、式ＶＩについて、上記Ｒは、以下の式ＶＩＩＩを有しており：
−［（Ｌ）ｙ−（Ｒ２）ｙ−（Ｌ）ｙ］−Ｂ−［（Ｌ）ｙ−（Ｒ２）ｙ−（Ｌ）ｙ］−
（式ＶＩＩＩ）
ここで、以上の式ＶＩＩＩについて：
ｙは、０又は１であり；
Ｌは、結合ユニットを含有する好適な炭素であり、好適な結合ユニットとしては、これらに限定するものではないが、アルキレン部分、アクリレート部分、及びアミド含有部分が挙げられ；
各Ｂは、少なくとも１つの第二級、第三級、又は第四級アミノ部分を含むユニットであり；
Ｒ２は、以下の式ＩＸを有する連結ユニットであり：
【化７】
0004781995.tif 000008
【０１２４】
ここで、式ＩＸについて：
各Ｒ３は、Ｃ２〜Ｃ１２の直鎖又は分枝鎖アルキレン部分から独立して選択され、好ましくは各Ｒ３は、独立して、エチレン、１，３−プロピレン、又は１，２−プロピレンであり；
各Ｒ４は、水素、又はＣ１〜Ｃ２２の直鎖若しくは分枝鎖の置換若しくは非置換ヒドロカルビル部分から独立して選択され、好ましくは各Ｒ４は、水素、又はＣ１〜Ｃ２２の直鎖若しくは分枝鎖アルキル部分；Ｃ１〜Ｃ２２シクロアルキル部分；Ｃ１〜Ｃ２２の直鎖若しくは分枝鎖フルオロアルキル部分；Ｃ２〜Ｃ２２の直鎖若しくは分枝鎖アルケニル部分；Ｃ６〜Ｃ２２アリール部分；又はＣ７〜Ｃ２２アルキレンアリール部分から独立して選択され；最も好ましくは、各Ｒ４は、水素、又はＣ１〜Ｃ１０の直鎖若しくは分枝鎖アルキル部分であり；
ｚは、０〜５０の整数である。
【０１２５】
好適なカチオン性ポリマーとしては、以下の式Ｘを有する線状ポリマーユニットであって：
【化８】
0004781995.tif 000009
【０１２６】
式Ｘについて、Ｒ２及び各Ｒ１が独立して、水素、ヒドロキシル、ハロゲン、置換又は非置換の炭化水素部分であり；Ｚがカチオン性官能基を含有する置換又は非置換の炭化水素部分である線状ポリマーユニット；並びに
以下の式ＸＩを有するモノマーを環状に重合させて誘導される環状ユニットであって：
【化９】
0004781995.tif 000010
【０１２７】
式ＸＩについて、各Ｒ４が独立して、隣接したＲ４ユニットと共に環式残基を形成可能であるのに加えて重合を伝達可能なオレフィン含有ユニットであり；各Ｒ５が独立して、Ｃ１〜Ｃ１２の直鎖若しくは分枝鎖アルキル部分、又は置換若しくは非置換のベンジル部分であり；Ｘ−がクロライド、ブロミド又はメチルサルフェートのような水溶性のアニオン種である前記環状ユニット、から成る群から選択される、少なくとも１つのユニット又はユニットの混合物を含むコポリマーが挙げられる。
【０１２８】
好適な非イオン性物質としては、アルキレンオキシド基と有機の疎水性部分（脂肪族又はアルキル芳香族の性質であることができる）との縮合によって生成される特定の界面活性剤；シリコーンコポリオール；及びこれらの混合物が挙げられる。好適な非イオン性界面活性剤の例としては、これらに限定するものではないが、アルキルフェノールエトキシレート、ポリエチレングリコール／ポリプロピレングリコールブロックコポリマー、脂肪族アルコール及び脂肪酸エトキシレート、長鎖第三級アミンオキシド、アルキル多糖、ポリエチレングリコール（ＰＥＧ）、グリセリル脂肪酸エステル、並びにこれらの混合物が挙げられる。
【０１２９】
好適なシリコーンコポリオールの非限定例は、以下の式ＸＩＩを有するシリコーンコポリオールであり：
Ｒ１―（ＣＨ３）２ＳｉＯ―［（ＣＨ３）２ＳｉＯ］ａ―［（ＣＨ３）（Ｒ１）ＳｉＯ］ｂ―Ｓｉ（ＣＨ３）２―Ｒ１
（式ＸＩＩ）
ここで、以上の式ＸＩＩについて、ａ＋ｂは、１〜約５０の整数であり、好ましくはａ＋ｂは、約３〜約３０の整数であり、より好ましくはａ＋ｂは、約１０〜約２５の整数であり；少なくとも１つのＲ１は、以下の式ＸＩＩＩを有するポリ（エチレンオキシ／プロピレンオキシ）コポリマー基であり、残りのＲ１部分は、メチル及び以下の式ＸＩＩＩを有するポリ（エチレンオキシド／プロピレンオキシド）コポリマー基から成る群から独立して選択され：
−（ＣＨ２）ｎＯ（Ｃ２Ｈ４Ｏ）ｃ（Ｃ３Ｈ６Ｏ）ｄＲ２
（式ＸＩＩＩ）
ここで、以上の式ＸＩＩＩについて、ｎは３又は４であり、好ましくはｎは３であり；ｃは１〜約１００の整数であり、好ましくはｃは約６〜約１００の整数であり；ｄは１〜約１４の整数であり、好ましくはｄは１〜約３の整数であり；ｃ＋ｄの合計は約５〜約１５０の整数であり、好ましくはｃ＋ｄの合計は約９〜約１００の整数であり；各Ｒ２は、水素、４個までの炭素原子を含むアルキル部分又はアセチル基から成る群から独立して選択される。
【０１３０】
好適なポリマー物質としては、これらに限定するものではないが、ポリアクリレート、ポリビニルアルコール、ポリエチレンイミン、多糖類、ポリエチレングリコール、及び以上の物質の誘導体又はコポリマーが挙げられ、これらは、本発明で使用するのに好適である。
【０１３１】
好適な粒子状物質としては、ポリマー粒子、粘土、タルク、ゼオライト及びこれらの混合物のような無機又は有機の微粒子が挙げられる。好適なポリマー粒子は、通常、平均粒径が約１０ミクロン未満、好ましくは５ミクロン未満、より好ましくは約１ミクロン未満である。このような粒子は、ポリエチレン、ポリスチレン、ポリプロピレン、及びこれらの混合物を含んでよい。好適な粘土物質としては、スメクタイト粘土、例えば、葉蝋石、モンモリロナイト、ヘクトライト、サポナイト及びバーミキュライト、並びに雲母のような、２：１層構造をもつフィロシリケート粘土が挙げられる。特に好適な粘土物質としては、米国特許第４，０６２，６４７号に記載のスメクタイト粘土が挙げられる。布地柔軟化の目的に好適な粘土物質の他の開示としては、欧州特許明細書ＥＰ２６５２８−Ａ１、米国特許第３，９５９，１５５号、及び米国特許第３，９３６，５３７号が挙げられる。
【０１３２】
更なる好適な物質としては、特定のトリグリセリド、鉱油、及びこれらの混合物のような、合成又は天然由来の特定の油が挙げられる。
【０１３３】
好適な処理物質の具体例としては、これらに限定するものではないが；牛脂、パーム油、綿実油、キャノーラ油及び大豆油からのトリグリセリド（すべて様々な水素化レベルをもつ）；パラフィン油、並びにこれらの混合物が挙げられる。
【０１３４】
好適な処理物質は、メイザー・ケミカルズ（Mazer Chemicals）（米国イリノイ州ガーニー（Gurnee））、クラリアント社（Clariant Corporation）（スイス、グラットブルグ（Glattbrugg））、ローディア社（Rhodia Incorporated）（米国ニュージャージー州クランベリー）、スケア・ケミカルズ社（Scher Chemicals,Inc.）（米国ニュージャージー州クリフトン）、ダウ・コーニング社（Dow Corning Corporation）（米国ミシガン州ミッドランド）、及びゼネラル・エレクトリック社（General Electric Company）（米国コネチカット州フェアフィールド）、ウイトコ社（Witco Corporation）（米国コネチカット州ミドルベリ）、デグサ−ヒュルズ（Degussa-Huls）（ドイツ、マール（Marl））、ＢＡＳＦ（米国ニュージャージー州マウントオリーブ）、シグマ−アルドリッチ（Sigma-Aldrich）（米国ミズーリ州セントルイス）、２０ミクロンズ社（20 Microns Ltd.）（インド、バローダ（Baroda））、及びツイン・リバーズ・テクノロジーズ（Twin Rivers Technologies）（米国マサチューセッツ州クインシー（Quincy））から市販されている。
【０１３５】
本発明の布地処理物質は、所望によりキャリア物質を含んでよい。好適なキャリア物質としては、これらに限定するものではないが、水、通常は３００ダルトン未満の重量平均分子量を有するシリコーン、モノ若しくはジアルキルエステル、グリセリンのようなポリオール、ポリエチレングリコール、アルコール、及びこれらの混合物が挙げられる。
【０１３６】
キャリアが水である時には、処理組成物は、当該処理組成物の重量％に基づいて、約４０重量％〜約９８重量％、約５０重量％〜約９５重量％、又は約６０重量％〜約９０重量％の水を含んでよい。布地処理組成物が水を含む時には、前記組成物のｐＨは、約２〜約１０、約３〜約９、約４〜約８、又は約５．５〜約７．５の範囲内にあってよい。
【０１３７】
本発明の目的には必ずしも必須ではないが、本明細書に記載する非限定的な補助剤を、望ましいようにそのような組成物の諸実施形態に組み込んでもよい。そのような補助剤成分の精確な性質、及びそれらを組み込む濃度は、布地処理組成物の物理形態、並びにそれが使用されることになる作業の性質によって決まる。
【０１３８】
好適な補助剤成分としては、これらに限定するものではないが、塩化ナトリウム、硫酸ナトリウム、塩化カルシウム、硫酸マグネシウムなどのような塩；ベンジルアルコール、メチルパラベン、プロピルパラベン及びイミダゾリジニル尿素のような防腐剤；特定の増粘剤及び粘度調整剤；クエン酸、コハク酸、リン酸、水酸化ナトリウムなどのようなｐＨ調整剤；マグネシウム／アルミニウムシリケートのような懸濁剤；並びにエチレンジアミン四酢酸二ナトリウムのような金属イオン封鎖剤が挙げられる。好適な補助剤の更なる例及び使用濃度は、米国特許第６，６５３，２７５号に見出される。
【０１３９】
（布地処理組成物の製造方法）
本発明の布地処理組成物は、任意の好適な形態に配合することができ、配合者によって選択された任意の方法によって調製することができ、その非限定例が米国特許第６，６５３，２７５号に記載されている。
【実施例】
【０１４０】
以下の組成物は、本発明で有用な布地処理組成物の実施例である：
【表１】
0004781995.tif 000011
【０１４１】
実施例では、構成成分の省略された識別表記は、以下の意味を有する：
ＤＥＱＡ：ジ−（タローイル−オキシ−エチル）ジメチルアンモニウムクロライド（米国コネチカット州ミドルベリのウイトコ社（Witco Corporation）から供給される）
ＤＴＤＭＡＣ：ジタロージメチルアンモニウムクロライド（米国コネチカット州ミドルベリのウイトコ社（Witco Corporation）から供給される）
脂肪酸：タロー脂肪酸ＩＶ＝１８（米国マサチューセッツ州クインシーのツイン・リバーズ・テクノロジーズ（Twin Rivers Technologies）から供給される）
電解質：塩化カルシウム（米国ミズーリ州セントルイスのシグマ−アルドリッチ（Sigma-Aldrich）から供給される）
ＰＥＧ：ポリエチレングリコール４０００（米国ニュージャージー州マウントオリーブのＢＡＳＦから供給される）
ＩＰＡ：イソプロピルアルコール（米国ミズーリ州セントルイスのシグマ−アルドリッチ（Sigma-Aldrich）から供給される）
非イオン性物質：ココヤシ油から誘導されたエトキシル化（ethyxylated）脂肪族アルコール（ヒドロカルビル鎖長１２〜１４炭素、エトキシレート鎖長、１０〜１２エトキシレート）（デグサ−ヒュルズ（Degussa-Huls）（ドイツ、マール（Marl）から供給される）
＊以下の香料実施例Ａ、Ｂ又はＣから選択される香料組成物：
【表２】
0004781995.tif 000012
【表３】
0004781995.tif 000013
【表４】
0004781995.tif 000014
【０１４２】
本発明の特定の実施形態について説明し記載したが、本発明の精神及び範囲から逸脱することなくその他の様々な変更及び修正を実施できることが、当業者には自明である。したがって、本発明の範囲内にあるそのようなすべての変更及び修正を添付の特許請求の範囲で扱うものとする。
【図面の簡単な説明】
【０１４３】
【図１】本発明の原理によって構築された独立型布地物品処理装置の一実施形態の斜視図。
【図２】図１の布地物品処理装置を反対の角度から見た斜視図。
【図３】フラットケーブルによって１つに接合された内部ハウジング及び外部ハウジングを示す、図１の布地物品処理装置の部分断面を一端から見た立面図。
【図４】図１の布地物品処理装置の内部ハウジング部分の部分断面を片側から見た立面図。
【図５】図１の布地物品処理装置で使用されるいくつかの電気及び機械コンポーネントのブロック図。
【図６Ａ】図１の布地物品処理装置で使用される電子制御装置の第１の部分の概略図。
【図６Ｂ】図１の布地物品処理装置で使用される電子制御装置の第１の部分の概略図。
【図６Ｃ】図１の布地物品処理装置で使用される電子制御装置の第１の部分の概略図。
【図７】図１の布地物品処理装置の電源コンポーネントを含む、制御装置の他の部分の電気的概略図。
【図８】衣類乾燥機装置の扉に取り付けられている時の、図１の布地物品処理装置の部分断面線図。
【図９】本発明の原理によって構築された、乾燥機のドラム部分内に有益組成物を噴霧するノズルを有する布地物品乾燥器具の斜視図。
【図１０】処理装置全体が１つのハウジング又はエンクロージャ内に収容される、本発明の原理によって構築された、代替的な実施形態の独立型布地物品処理装置によって使用されるいくつかのコンポーネントの線図。
【図１１】制御変数として温度入力及び設定点を使用する、図１の布地物品処理装置を制御するために使用される論理工程の一部を示す一連のフローチャート。
【図１２】制御変数として経過時間及びタイミング設定点を使用する、図１の布地物品処理装置を制御するために使用される論理工程の一部を示す一連のフローチャート。
【図１】
0004781995.tif 000015
【図２】
0004781995.tif 000016
【図３】
0004781995.tif 000017
【図４】
0004781995.tif 000018
【図５】
0004781995.tif 000019
【図６Ａ】
0004781995.tif 000020
【図６Ｂ】
0004781995.tif 000021
【図６Ｃ】
0004781995.tif 000022
【図７】
0004781995.tif 000023
【図８】
0004781995.tif 000024
【図９】
0004781995.tif 000025
【図１０】
0004781995.tif 000026
【図１１】
0004781995.tif 000027
【図１２】
0004781995.tif 000028